(57)【要約】【課題】個人の嗜好性により合致するデータの自動蓄積と複数人へ同時にデータの自動蓄積を実現する。【解決手段】送信装置１は、蓄積媒体を識別する蓄積識別子と、データとを送信する。受信装置２１，２２は、蓄積媒体を識別する蓄積識別子とデータとを受信する受信部と、受信部で受信したデータを、受信部で受信した蓄積識別子で識別される蓄積媒体に蓄積する蓄積制御部とを具備する。【選択図】図３５
2011141897.tif 000002
【特許請求の範囲】
【請求項１】
第１の受信装置からコンテンツ種別ごとのユーザーの興味を表す個人固定的興味度データを送信し、
前記第１の受信装置から管理装置へグループ登録の申請を行い、
前記管理装置からグループ番号の通知を受け、
前記グループ番号を、前記第１の受信装置とは異なる第２の受信装置へ通知し、
前記管理装置においてコンテンツ種別ごと算出されたグループ固定的興味度データの値が、第１の閾値以上のコンテンツを受信し、
前記グループ固定的興味度データは、前記管理装置において、同一のグループ番号を有するとして登録されている複数の受信装置から送信された個人固定的興味度データに基づいて算出されることを特徴とするデータ受信方法。
【請求項２】
請求項１に記載のデータ受信方法であって、
前記個人固定的興味度データが第２の閾値以上のコンテンツを受信することを特徴とするデータ受信方法。
【請求項３】
請求項１に記載のデータ受信方法であって、
前記グループ固定的興味度データは、同一のグループ番号を有するとして登録されている複数の受信装置の個人固定的興味度データの平均値であることを特徴とするデータ受信方法。
【請求項４】
請求項１に記載のデータ受信方法であって、
前記第１の閾値は、前記管理装置に予め格納されていることを特徴とするデータ受信方法。
【請求項５】
請求項２に記載のデータ受信方法であって、
前記第２の閾値は、前記管理装置に予め格納されていることを特徴とするデータ受信方法。
【請求項６】
請求項１に記載のデータ受信方法であって、
前記第１の閾値を変更するための登録情報を前記管理装置へ送信することを特徴とするデータ受信方法。
【請求項７】
請求項２に記載のデータ受信方法であって、
前記第２の閾値を変更するための登録情報を前記管理装置へ送信することを特徴とするデータ受信方法。
【請求項８】
請求項７に記載のデータ受信方法であって、
前記第２の閾値を変更するための登録情報は、蓄積媒体を識別する蓄積識別子を含むことを特徴とするデータ受信方法。
【請求項９】
請求項２に記載のデータ受信方法であって、
前記第２の閾値は、同一のグループ番号を有するとして登録されている各受信装置について共通の指標が設定されていることを特徴とするデータ受信方法。
【請求項１０】
請求項２に記載のデータ受信方法であって、
前記第１の閾値は、同一のグループ番号を有するとして登録されている受信装置を有する使用者全員の前記第２の閾値の合計であることを特徴とするデータ受信方法。
【発明の詳細な説明】
【技術分野】
【０００１】
本発明は、データの送受信とデータの蓄積管理をするネットワークシステム、放送システム等に関するものである。
【背景技術】
【０００２】
データを不特定多数の利用者に配布する手段として、放送や有線ネットワークによる送信手段がある。近年、衛星波によるデジタル放送が実用化され、多チャンネルによる映像・音声コンテンツやデータなどの送信が実現されている。又、地上波によるデジタル放送も実現化に向けた活動が活発となっている。また、テレビジョン、家庭用ビデオまたはパソコンなどの受信機によるコンテンツの受信が可能である。さらに、データを蓄積する媒体も大容量化、多様化している。
【０００３】
上記の放送システム、受信装置および蓄積媒体の特徴を生かしたデータの蓄積手法に様々な提案がなされている。更に、デジタル有線ネットワークを通じて送信されるデータの蓄積手法にも様々な提案がなされている。
【０００４】
例えば、公衆回線等から提供されるデータを受信して、そのデータを蓄積し、かつ蓄積媒体の使用者の嗜好性判定に基づき不必要なデータを消去する提案がある（特開平１０−９１６８６号）。又、放送されるデータの全てを代理で蓄積した機器から、ある個人の嗜好性判定に基づいて自動的に、その個人が使用する蓄積媒体に取りこむ提案がある。放送システムやデジタル有線ネットワークを通じて送信されるデータを蓄積しなかった蓄積媒体を持つ受信装置に対して、データを蓄積した受信装置からデータを移す場合やデータを複写する場合は、受信装置から着脱可能な蓄積媒体を経由させて実現したり、ネットワークを通じてデータを転送している。
【先行技術文献】
【特許文献】
【０００５】
【特許文献１】特開平１０−９１６８６号公報
【発明の概要】
【発明が解決しようとする課題】
【０００６】
送信装置により送信されるデータを使用者個人の嗜好性判定に基づく自動蓄積手段により蓄積する場合、日々の生活環境に影響される使用者個人の嗜好性を判定する基準として、時系列的な変更を行わない固定的な個人属性を基準とした判定が行われている。従って、上記データ蓄積の場合に、必ずしも正しく個人の嗜好性を判定できるものではなく、その時々の個人の嗜好と合致しないデータを自動蓄積することがあった。
【０００７】
また、個人の嗜好性判定に基づくデータの自動蓄積の場合には、複数人の嗜好性判定が行えず、複数人の間でデータを同時に自動蓄積して共有することが不可能であった。そのため、複数の受信装置間でのデータの移動や複写の場合と同様に、複数人の間でデータを共有するために、受信装置から着脱可能な蓄積媒体に共有したいデータを蓄積して、それを複数人の間で蓄積媒体を交換したりネットワークを通じて共有したいデータを送付していた。
【０００８】
本発明は、上記の課題を解決するものである。つまり、個人の嗜好性に合致するデータを自動的に蓄積し、複数人へ同時にデータを自動的に蓄積することを目的とする。
【０００９】
また、本発明は、送信装置により送信されるデータを使用者個人の嗜好性判定に基づいて自動蓄積手段により蓄積する場合、日々の生活環境に影響される使用者個人の嗜好性を判定し、その時々の個人の嗜好と合致させたデータを自動蓄積できるようにすることを目的とする。
【００１０】
また、本発明は、複数人から成るグループの嗜好性判定を行い、複数人の間でデータを自動蓄積して共有できるようにすることを目的とする。
【００１１】
更に、本発明は、複数人から成るグループの動的な嗜好と合致させたデータを自動蓄積できるようにすることを目的とする。
【００１２】
さらに、本発明は、個人の明示的な要求によりデータを蓄積し、グループ構成員である複数人の間で、そのデータを自動的に蓄積して共有できるようにするために、送信装置からそのデータを送信させることを目的とする。
【課題を解決するための手段】
【００１３】
本発明は、蓄積媒体を識別する蓄積識別子とデータとを送信する送信装置を提供する。
【００１４】
さらに本発明は、蓄積媒体を識別する蓄積識別子とデータとを受信する受信部と、前記受信部で受信したデータを、前記受信部で受信した蓄積識別子で識別される蓄積媒体に蓄積する蓄積制御部とを具備する受信装置を提供する。
【００１５】
上記発明によれば、受信装置は、送信装置から送信された蓄積識別子とデータとを受信する。蓄積識別子とデータとが対応付けて送信される場合には、受信したデータを、受信した蓄積識別子で識別される蓄積媒体に蓄積することができる。受信しただけでは、蓄積識別子とデータとの対応関係が分からない場合であっても、適宜な方法で受信装置に指示された対応関係に基づいて、受信したデータを、受信した蓄積識別子で識別される蓄積媒体に蓄積することができる。これにより、利用する可能性があるデータを、そのデータを利用する可能性のある蓄積媒体に、自動的に蓄積することができる。
【００１６】
蓄積識別子は、データを蓄積すべき１又は２以上の蓄積媒体を識別できればよく、例えば、蓄積媒体の種類（テープ、ハードディスク等）、蓄積媒体の固有番号（製造番号等）、蓄積媒体の設置場所（部屋名）などである。
【００１７】
蓄積制御部は、それ自体が蓄積媒体にデータを蓄積する動作を行うものであっても、他の機器・装置等に対して蓄積媒体にデータを蓄積するように制御するものであってもよい。
【００１８】
また、本発明は、データおよび当該データを識別するデータ識別子を受信する受信部と、蓄積媒体を識別する蓄積識別子とデータ識別子とを対に有する蓄積制御情報を１以上格納する蓄積制御情報格納部と、前記受信部で受信したデータ識別子と対になった蓄積識別子を前記蓄積制御情報格納部から取得する蓄積識別子取得部と、前記受信部で受信したデータを前記蓄積識別子取得部で取得した蓄積識別子で識別される蓄積媒体に蓄積する蓄積制御部とを具備する受信装置を提供する。
【００１９】
上記発明によれば、受信装置は、データとデータ識別子とを受信すると、受信したデータ識別子から、蓄積制御情報に基づいて蓄積情報を取得する。そして、取得した蓄積識別子で識別される蓄積媒体に、受信したデータを蓄積する。これにより、利用する可能性があるデータを、そのデータを利用する可能性のある蓄積媒体に、自動的に蓄積することができる。
【００２０】
なお、蓄積制御情報格納部は一時的なメモリ（ＲＡＭ、レジスタなど）でもよし、ＲＯＭなどの恒久的なメモリでも良い。
【００２１】
本発明は、蓄積媒体を識別する蓄積識別子と、受信装置を識別する受信装置識別子と、データとを送信する送信装置を提供する。
【００２２】
また本発明によれば、受信装置識別子で識別された受信装置は、その受信装置識別子を受信した場合に、受信した蓄積識別子で識別される蓄積媒体に、受信したデータを蓄積することができる。つまり、送信装置は、どの受信装置のどの蓄積媒体にデータを蓄積するかを特定して、データを送信することができる。
【００２３】
本発明は、蓄積識別子と第一の受信装置識別子とデータとを受信する受信部と、第二の受信装置識別子を格納する受信装置識別子格納部と、前記第二の受信装置識別子を取得する受信装置識別子取得部と、前記受信部で受信した第一の受信装置識別子と前記受信装置識別子取得部で取得した第二の受信装置識別子とが一定の関係にあるか否かを判断する判断部と、前記判断部での判断結果が「一定の関係にある」との場合に、前記受信部で受信した蓄積識別子で識別される蓄積媒体に前記受信部で受信したデータを蓄積する蓄積制御部とを具備する受信装置を提供する。
【００２４】
また本発明において、受信装置は、受信した第一の受信識別子と受信装置自身を識別する第二の受信装置識別子とが一定の関係にある場合に、受信したデータを蓄積する。一定の関係とは、例えば、第一の受信装置識別子で識別される１又は２以上の受信装置に、受信装置自身を識別する第二の受信装置識別子が含まれる関係がある。つまり、一定の関係とは、第一の受信装置識別子および第二の受信装置識別子が完全に一致する関係に限らない。例えば、第二の受信装置識別子が８ＢＹＴＥで構成され、前４ＢＹＴＥが地域を特定する地域識別子であり、後４ＢＹＴＥが受信装置独自に割り当てられる場合を考慮すると、第一の受信装置識別子が前４ＢＹＴＥの地域識別子のみを特定する情報であるとき、第一の受信装置識別子と第二の受信装置識別子の前４ＢＹＴＥが一致すれば、「一定の関係にある」としてもよい。
【００２５】
受信装置識別子格納部は、第二の受信装置識別子を一時的に格納してもよい。また、第二の受信装置識別子は、一つの受信装置に対して一つに固定する必要はない。例えば、ＩＣカードを差し替えるにより、あるいはデータを一時的に記憶することにより、受信装置識別子格納部に格納される第二の受信装置識別子を変更可能としてもよい。また、受信装置が置かれている位置に応じて、第二の受信装置識別子が変更されるようにしてもよい。
【００２６】
本発明は、複数の値を取り得る情報である属性情報の値である属性情報値を１以上有する属性情報値群を格納する属性情報群格納部と、複数のデータを格納するデータ群格納部と、１以上の属性情報値をパラメータとするデータ取得の規則であるデータ取得規則を格納するデータ取得規則格納部と、前記属性情報群格納部に格納されている１以上の属性情報値について、前記データ取得規則格納部に格納されているデータ取得規則に基づいて、前記データ群格納部から１以上のデータを取得するデータ取得部と、を具備する管理装置を提供する。
【００２７】
また本発明において、属性情報群格納部には、適宜な方法で属性情報値群を格納する。属性情報値群は、一時的に格納してもよく、また、属性情報値を変更可能としてもよい。データ取得規則は、例えば属性情報値をパラメータとする関数である。あるいは、データ取得規則は、パラメータである属性情報値とデータとを、テーブルで対応付けている情報でもよい。この場合、テーブルがデータ群格納部としても機能する。また、データ取得規則が、属性情報値をパラメータとする関数で与えられ、その関数が有限個の値（データ）を取り得る場合には、その関数は、データ群格納部として機能する。さらに、データ群格納部は、ＲＡＭ，レジスタなどの一時的なメモリでも、ＲＯＭ、ＤＶＤ−ＲＯＭなどの恒久的なメモリでもよい。本発明におけるすべての〇〇格納部は、データ群格納部と同様である。つまり、本発明のすべての格納部は、ＲＡＭ，レジスタなどの一時的なメモリでも、ＲＯＭ、ＤＶＤ−ＲＯＭなどの恒久的なメモリでもよい。
【００２８】
本発明は、管理装置において、複数の値を取り得る情報である属性情報値を１以上受信する属性情報受信部と、前記属性情報受信部で受信した１以上の属性情報値を前記属性情報群格納部に記録する属性情報記録部とをさらに具備する。
【００２９】
本発明は、管理装置において、前記データ取得部が取得した１以上のデータを送信するデータ送信部をさらに具備する。
【００３０】
本発明は、管理装置において、前記属性情報受信部が端末識別子をも受信し、前記データ送信部が前記端末識別子をも送信する。
【００３１】
本発明は、管理装置におけるデータ送信部が送信した１以上のデータを受信するデータ受信部と、端末を識別する端末識別子を格納する端末識別子格納部と、前記端末識別子格納部に格納されている端末識別子を取得する端末識別子取得部と、前記データ受信部で受信した１以上のデータと前記端末識別子取得部で取得した端末識別子を放送するデータ放送部とを具備する放送装置を提供する。
【００３２】
また本発明の放送装置は、端末からの属性情報値に基づいて決定されたデータと、その端末を識別する端末識別子とを放送するので、端末はそのデータを選択的に受信することができる。なお、放送とは、不特定多数に対して送信することである。また、放送装置は、データ取得装置から受信したデータや端末識別子を適宜な態様に変換して放送すればよい。例えば、受信したデータに対応するコンテンツの信号に、受信した端末識別子に対応する信号を付加して送信してもよい。
【００３３】
本発明は、管理装置におけるデータ送信部が送信した１以上のデータおよび端末識別子を受信するデータ受信部と、前記データ受信部が受信した端末識別子を格納する端末識別子格納部と、前記端末識別子格納部に格納されている端末識別子を取得する端末識別子取得部と、前記データ受信部で受信した１以上のデータと前記端末識別子取得部で取得した端末識別子を放送するデータ放送部とを具備する放送装置を提供する。
【００３４】
本発明は、放送装置において、一の端末識別子と他の１以上の端末識別子を対に有するグループ端末情報を１以上格納するグループ端末格納部と、前記データ放送部が放送する端末識別子と対になる１以上の端末識別子を前記グループ端末格納部から取得するグループ端末取得部をさらに具備し、前記データ放送部が、前記グループ端末取得部で取得した１以上の端末識別子をも放送する。
【００３５】
本発明によれば、グループに属する端末が同一のデータを受信するようにすることができる。
【００３６】
本発明は、属性情報値群と端末識別子を対にした端末属性情報値群を２以上格納する端末属性情報値群格納部と、複数のデータを格納するデータ群格納部と、１以上の属性情報をパラメータとするデータ取得の規則であるデータ取得規則を格納するデータ取得規則格納部と、前記端末属性情報値群格納部で格納されている２以上の端末属性情報値群が有する複数の属性情報値群を構成する属性情報値を用いて、前記データ取得規則に基づいて、前記データ群格納部から１以上のデータを取得するデータ取得部とを具備する管理装置を提供する。
【００３７】
また本発明において、例えば複数人が１台の端末を用いるような場合に、端末識別子は端末を使用する個人ごとに割り当てられてもよい。
【００３８】
本発明は、管理装置において、２以上の端末属性情報値群を受信する端末属性情報値群受信部と、前記端末属性情報値群受信部で受信した２以上の端末属性情報値群を前記端末属性情報値群格納部に記録する端末属性情報値群記録部とをさらに具備する。
【００３９】
本発明は、管理装置において、前記データ取得部が取得した１以上のデータを送信するデータ送信部をさらに具備する。
【００４０】
本発明は、管理装置において、前記データ取得部が取得した１以上のデータを送信するデータ送信部をさらに具備し、前記データ送信部が、前記端末属性情報値群受信部が受信した２以上の端末属性情報値群が有する２以上の端末識別子をも送信する。
【００４１】
本発明は、管理装置におけるデータ送信部が、送信した１以上のデータおよび２以上の端末識別子を受信するデータ受信部と、前記データ受信部で受信した１以上のデータと２以上の端末識別子を放送するデータ放送部と、を具備する放送装置を提供する。
【００４２】
本発明は、一の受信装置がデータを受信して蓄積した場合に、自動的に他の受信装置が同一のデータの放送を受信して蓄積する、データ蓄積方法を提供する。
【００４３】
本発明は、データおよび当該データを識別する情報であるデータ識別情報（例えば、チャネル番号と時間、番組名など）を受信するデータ受信部と、データを蓄積するデータ蓄積部と、前記データ蓄積部で蓄積するデータを識別する情報であるデータ識別情報を格納する蓄積データ識別情報格納部と、前記蓄積データ識別情報格納部に格納されているデータ識別情報に基づいて前記データ受信部で受信したデータの蓄積指示を前記データ蓄積部にするデータ蓄積制御部と、前記蓄積データ識別情報格納部に格納されているデータ識別情報を送信するデータ識別情報送信部と、を具備する受信装置を提供する。
【００４４】
また本発明において、受信装置は、蓄積データ識別情報格納部に格納されているデータ識別情報で識別されるデータを、データ蓄積部に蓄積する。蓄積データ識別情報格納部に格納されているデータ識別情報は、データ識別情報送信部により送信されるので、その受信装置がどのようなデータを蓄積するかを、他の受信装置に（直接的に、あるいは間接的に）伝えることができる。これにより、複数の受信装置間で連携して、データを蓄積することが可能となる。例えば、複数の受信装置が同一のデータを蓄積したり、逆に、他の受信装置に蓄積されるデータを、蓄積しなようにしたり、蓄積していれば消去することなどが可能となる。なお、データ識別情報送信部によるデータ識別情報の送信は、データ蓄積部によるデータの蓄積前であれば受信装置間の連携を図ることが容易になるが、これに限るものではなく、データの蓄積後であってもよい。
【００４５】
本発明は、受信装置において、受信装置を識別する受信装置識別子を格納している受信装置識別子格納部と、前記受信装置識別子格納部で格納されている受信装置識別子を取得する受信装置識別子取得部と、をさらに具備し、前記データ識別情報送信部が、前記受信装置識別子取得部で取得した受信装置識別子をも送信する。
【００４６】
本発明において、受信装置は、データ識別情報以外に、その受信装置を識別する受信装置識別子も送信するので、他の受信装置は、どのデータをどの受信装置が蓄積するか認識することが可能となる。これにより、他の受信装置は、連携する受信装置からのデータ識別情報を選択的に受信し利用することが、容易となる。
【００４７】
本発明は、受信装置において、送信先を示す情報である送信先情報を１以上格納する送信先情報格納部と、前記送信先情報格納部に格納されている１以上の送信先情報を取得する送信先情報取得部と、をさらに具備し、前記データ識別情報送信部が、前記送信先情報取得部で取得した送信先情報が示す送信先にデータ識別情報を送信する。
【００４８】
また本発明において、受信装置は、送信先を特定して、データ識別情報（および受信装置識別子）を送信することができる。これにより、他の受信装置は、連携する受信装置からのデータ識別情報か否かの判断が不要となり、データ識別情報を容易に利用することができる。
【００４９】
本発明は、データおよび当該データを識別する情報であるデータ識別情報を受信するデータ受信部と、前記データ受信部で受信したデータを蓄積するデータ蓄積部と、前記データ蓄積部で蓄積したデータを識別する情報であるデータ識別情報を送信するデータ識別情報送信部と、を具備する受信装置を提供する。データ識別情報とは、例えば、チャネル番号と放送時間を示す情報からなる情報や番組名などが該当する。データ識別情報とは、番組などのデータを識別するための情報であれば何でも良い。
【００５０】
また本発明において、受信装置は、その受信装置がどのようなデータを蓄積したかを、他の受信装置に伝えることができる。これにより、複数の受信装置間で連携してデータを蓄積することが可能となる。
【００５１】
本発明は、受信装置において、受信装置を識別する受信装置識別子を格納する受信装置識別子格納部と、前記受信装置識別子格納部で格納されている受信装置識別子を取得する受信装置識別子取得部と、をさらに具備し、前記データ識別情報送信部が、前記受信装置識別子取得部で取得した受信装置識別子をも送信する。
【００５２】
また本発明によれば、受信装置は、データ識別情報以外に、その受信装置を識別する受信装置識別子も送信するので、他の受信装置は、どのデータをどの受信装置が蓄積するか認識することが可能となる。これにより、他の受信装置は、連携する受信装置からのデータ識別情報を選択的に受信し、活用することが、容易となる。
【００５３】
本発明は、受信装置において、送信先情報を１以上格納する送信先情報格納部と、前記送信先情報格納部に格納されている１以上の送信先情報を取得する送信先情報取得部と、をさらに具備し、前記データ識別情報送信部が、前記送信先情報取得部で取得した送信先情報が示す送信先にデータ識別情報を送信する。
【００５４】
また本発明によれば、受信装置は、送信先を特定して、データ識別情報（および受信装置識別子）を送信することができる。これにより、他の受信装置は、連携する受信装置からのデータ識別情報か否かの判断が不要となり、データ識別情報を容易に利用することができる。
【００５５】
本発明は、受信装置から送信される受信装置識別子とデータ識別情報を受信する受信部と、一の受信装置識別子と他の１以上の受信装置識別子を対に有するグループ受信装置情報を１以上格納するグループ受信装置情報格納部と、前記受信部が受信した受信装置識別子と対となる１以上の受信装置識別子を前記グループ受信装置情報格納部から取得するグループ受信装置識別子取得部と、前記グループ受信装置識別子取得部で取得した１以上の受信装置識別子を出力する出力部と、を具備する出力装置を提供する。
【００５６】
また本発明によれば、出力装置は、受信した受信装置識別子で識別される一の受信装置とグループ化されたか他の受信装置を、グループ受信装置情報により抽出し、抽出した他の受信装置を識別する受信装置識別子を出力する。出力装置が受信装置間のグループ関係を管理するので、受信装置は、グループ関係の判断が不要となる。したがって、受信装置の構成を簡単にすることができる。
【００５７】
なお、出力部は、受信装置識別子を、種々の態様で出力することができる。例えば、記録媒体に受信装置識別子を記録してもよい。あるいは、特定の対象（例えば、放送局、受信識別子で識別される受信装置）に対してのみ送信しても、特定の対象以外に送信してもよい。出力先を特定せずに、出力してもよい。つまり、出力とは、記録媒体への記録、画面への表示、プリンタへの印字、有線または無線のネットワークを利用した送信などを含む概念である。
【００５８】
本発明は、放送装置において、前記出力部は、前記受信部が受信したデータ識別情報をも出力する。
【００５９】
本発明によれば、受信装置間で共通のデータを、他の受信装置は容易に認識することができる。
【００６０】
本発明は、出力装置において、前記出力部は、１以上の受信装置識別子と、前記受信部が受信したデータ識別情報により識別されるデータとを、関連づけて出力する。
【００６１】
本発明によれば、受信装置は、受信したデータが、グループ内の他の受信装置で蓄積されるものであるか否かを認識することができる。これにより、グループ内の受信装置が連携してデータを蓄積することが可能となる。例えば、他の受信装置が受信したデータを蓄積される場合に、共通の話題となるように別の受信装置がそのデータを蓄積したり、逆に、グループ内での蓄積の重複を避けるため蓄積しないようにすることができる。
【００６２】
本発明は、データおよび当該データを識別する情報であるデータ識別情報（例えば、チャネル番号と時間、番組名など）を受信するデータ受信部と、前記データ受信部で受信したデータを出力するデータ出力部と、前記データ出力部でデータを出力した場合に、当該データを識別する情報であるデータ識別情報（データ受信部で受信されたデータ識別情報）を送信するデータ識別情報送信部と、を具備する受信装置。
【００６３】
本発明によれば、受信装置は、受信したデータを出力したら（例えば、視聴したり印字したりしたら）、そのデータを識別するデータ識別情報を送信する。これにより、受信装置がデータを出力したことを、その受信装置以外の他の装置に伝えることが可能となる。これを利用することにより、例えば、受信装置間の連携を図ったり、さらに追加のデータを送ったりすることができる。
【００６４】
本発明は、受信装置において、受信装置を識別する受信装置識別子を格納する受信装置識別子格納部と、前記受信装置識別子格納部で格納されている受信装置識別子を取得する受信装置識別子取得部と、をさらに具備し、前記データ識別情報送信部が、前記受信装置識別子取得部で取得した受信装置識別子をも送信する。
【００６５】
本発明において、データを出力した受信装置を識別する受信装置識別子も送信されるので、データを出力した受信装置を特定することができるので、受信装置間の連携や追加のデータの送信などが、容易になる。
【００６６】
本発明には、受信装置おいて、送信先を示す情報である送信先情報を１以上格納する送信先情報格納部と、前記送信先情報格納部に格納されている１以上の送信先情報を取得する送信先情報取得部と、をさらに具備し、前記データ識別情報送信部が、前記送信先情報取得部で取得した送信先情報が示す送信先にデータ識別情報を送信する。
【００６７】
本発明によれば、受信装置は、送信先を特定して、データ識別情報（および受信装置識別子）を送信することができる。これにより、他の受信装置は、連携する受信装置からのデータ識別情報か否かの判断が不要となり、データ識別情報を容易に利用することができる。
【００６８】
本発明は、受信装置から送信される受信装置識別子とデータ識別情報を受信する受信部と、一の受信装置識別子と他の１以上の受信装置識別子を対に有するグループ受信装置情報を１以上格納するグループ受信装置情報格納部と、前記受信部が受信した受信装置識別子と対となる１以上の受信装置識別子を前記グループ受信装置情報格納部から取得するグループ受信装置識別子取得部と、前記グループ受信装置識別子取得部で取得した１以上の受信装置識別子を出力する出力部と、を具備する出力装置を提供する。
【００６９】
本発明は、出力装置において、前記受信部が受信したデータ識別情報をも出力する。
【００７０】
本発明は、出力装置において、前記放送部が１以上の受信装置識別子と前記受信部で受信したデータ識別情報により識別されるデータを関連づけて出力する。
【発明の効果】
【００７１】
以上説明したように、本発明においてそれぞれの実施態様により、それぞれ以下の効果を得る。
（１）物理的に例え大きく離れた場所に設置された受信装置に対しても、自ら操作を行うことなく、データを自動的に蓄積することが可能となる。
（２）データを受信装置により受信して、受信装置に接続されている複数種類の蓄積媒体に蓄積する場合、蓄積媒体を識別する識別子を受信装置で管理する、もしくは、送信装置からデータと共に送信することにより、受信装置で自動的に複数種類の中から蓄積媒体を選定してデータを蓄積することが可能となる。
（３）日々の生活環境に影響を受ける個人の嗜好性が反映され、個人の嗜好性変化と同期のとれたデータ蓄積が自動的に行われ、個人の嗜好性と合致するデータを蓄積することが可能となる。
（４）複数人にデータを自動的に蓄積させることで、複数人が同じ蓄積データを利用して話題を統一することができると共に、データの利用効果を大きくすることができる。
（５）ある個人の嗜好性のみを基準として判定する場合に不要と判定されるデータを、その個人を含む複数人のグループの嗜好性判定を基準にして強制的にデータを全員に自動蓄積させることにより、グループを構成する全ての構成員に対して、全員参加を前提とするデータの蓄積を保障することが可能となる。
（６）複数人の間での刺激や触発によりデータに対する嗜好性が変化して、データ需要や欲求に、時間的なずれが生じる場合も、グループを構成する全ての構成員に対して、刺激しあう複数人の嗜好性判定を基準にして強制的にデータを自動蓄積させることで、時差の生じたデータ需要、欲求に対するデータの蓄積を保障することが可能となる。
【００７２】
（７）複数人で利用することで効果が大きくなるデータを、ある個人の明示的な蓄積予約に基づいて、強制的にデータをグループ構成員に自動蓄積させることにより、グループを構成する全ての構成員に対して、全員参加を前提とするデータの蓄積を保障することが可能となる。
【図面の簡単な説明】
【００７３】
【図１】本発明の第１の実施の形態に係わる基本構成を示す図
【図２】コンテンツ番号仕様を示す図
【図３】コンテンツ種類番号を表す図
【図４】受信装置制御情報管理部の構成を示す図
【図５】図４の変形例の受信装置制御情報管理部の構成を示す図
【図６】受信装置制御情報テーブルを示す図
【図７】図６の変形例の受信装置制御情報テーブルを示す図
【図８】受信装置制御情報を含むディスクリプタの仕様を示す図
【図９】図８の変形例の受信装置制御情報を含むディスクリプタの仕様を示す図
【図１０】受信装置の基本構成を示す図
【図１１】受信装置の受信部の構成を示す図
【図１２】受信装置の蓄積制御部の構成を示す図
【図１３】蓄積媒体識別テーブルを示す図
【図１４】受信装置制御情報管理処理の手順を示す図
【図１５】コンテンツ種類番号による検索処理の手順を示す図
【図１６】コンテンツ番号による検索処理の手順を示す図
【図１７】ディスクリプタ生成処理の手順を示す図（前半）
【図１８】ディスクリプタ生成処理の手順を示す図（後半）
【図１９】受信装置蓄積制御処理の手順を示す図（前半）
【図２０】受信装置蓄積制御処理の手順を示す図（後半）
【図２１】図１０の変形例の受信装置の基本構成を示す図
【図２２】本発明の第２の実施の形態に係わる基本構成を示す図
【図２３】第２の実施の形態に係わる管理装置の構成を示す図
【図２４】管理装置への登録手続きの流れを示す図
【図２５】図２４の変形例の管理装置への登録手続きの流れを示す図
【図２６】受信装置識別番号テーブルを示す図
【図２７】個人の固定的興味度データテーブルを示す図
【図２８】図２７の変形例の個人の固定的興味度データテーブルを示す図
【図２９】個人興味度指標データテーブルを示す図
【図３０】管理装置への個人興味度閾値データ変更手続きの流れを示す図
【図３１】図３０の変形例の管理装置への個人興味度閾値データ変更手続きの流れを示す図
【図３２】個人の嗜好性に基づく蓄積コンテンツ判定処理の手順を示す図
【図３３】個人興味度閾値データテーブルを示す図
【図３４】送信コンテンツ種類番号テーブルを示す図
【図３５】本発明の第３及び第４の実施の形態に係わる基本構成を示す図
【図３６】第３の実施の形態に係わる管理装置の構成を示す図
【図３７】使用者登録及びグループ登録するための手続きの流れを示す図
【図３８】端末識別番号テーブルを示す図
【図３９】使用者管理テーブルに端末識別番号と利用期間を示す図
【図４０】個人固定的興味度データテーブルを示す図
【図４１】図４０の変形例の個人固定的興味度データテーブルを示す図
【図４２】個人蓄積コンテンツ種類番号テーブルを示す図
【図４３】グループ管理データテーブルを示す図
【図４４】グループ固定的興味度データテーブルを示す図
【図４５】コンテンツ種別の判定手順を示すフローチャートを示す図
【図４６】グループ蓄積コンテンツ種類番号テーブルを示す図
【図４７】第４の実施の形態による管理装置の第２の構成を示す図
【図４８】共通指標による個人の興味度を示す図
【図４９】個人興味度データテーブルを示す図
【図５０】グループ興味度データテーブルを示す図
【図５１】コンテンツ種別の判定手順を示すフローチャートを示す図
【図５２】個人興味度閾値を示す図
【図５３】グループ興味度閾値を示す図
【図５４】個人蓄積コンテンツ種類データテーブルを示す図
【図５５】グループ蓄積コンテンツ種類データテーブルを示す図
【図５６】第４の実施の形態による管理装置の第３の構成を示す図
【図５７】図５６の変形例の管理装置の基本構成を示す図
【図５８】図５７の変形例の管理装置の基本構成を示す図
【図５９】第４の実施の形態による放送装置の第２の構成を示す図
【図６０】図５９の変形例の放送装置の基本構成を示す図
【図６１】図６０の変形例の放送装置の基本構成を示す図
【図６２】第４の実施の形態による管理装置の第４の構成を示す図
【図６３】図６２の変形例の管理装置の基本構成を示す図
【図６４】図６３の変形例の管理装置の基本構成を示す図
【図６５】図５８と図６４の管理装置のデータ送信部の変形例を示す図
【図６６】第５の実施の形態による受信装置の第２の構成を示す図
【図６７】図６６の変形例の受信装置の基本構成を示す図
【図６８】図６７の変形例の受信装置の基本構成を示す図
【図６９】第５の実施の形態に係わる創出装置の基本構成を示す図
【図７０】第５の実施の形態に係わるストリームの仕様を示す図
【発明を実施するための形態】
【００７４】
以下、図面を参照して本発明の実施の形態を説明する。
【００７５】
（第１の実施の形態）
まず、図１から図２０を用いて、第１の実施の形態について説明する。図１は、本発明の実施の形態に係わる送受信システムの基本構成を示す図である。まず、図１を参照して本発明の送受信システムの原理について説明する。図１の送受信システムは、送信装置１と、地域Ｒ１で示される最低行政区域単位で分割された地域内にある家庭やオフィスに置かれた受信装置２１と、地域Ｒ２で示される地域内にある同様の受信装置２２とから構成され、送信装置１に受信装置制御情報管理部１２が付属している。Ａは地域Ｒ１と地域Ｒ２に夫々設置されている受信装置２１と受信装置２２の使用者である。
【００７６】
なお、地域Ｒ１とＲ２は、行政区域単位でなく、家庭、学区、商業施設等や論理的な概念に基づく地域であってもよい。また、Ｒ１とＲ２は同一の地域であっても良いし、異なる地域であっても良い。
【００７７】
送信装置１は、受信装置制御情報付き放送ストリーム３１を送出するものである。例えば、送信装置１は、現行のデジタル衛星放送で用いられているＭＰＥＧ２トランスポートストリームを利用した放送ストリームを送出する。送信装置１は、放送ストリーム３１を送出することにより、コンテンツを受信装置２１と受信装置２２に送信している。
【００７８】
なお、データ送出の一例として無線放送による実施例を説明しているが、有線ネットワーク等によるデータ送出であっても良い。また、送出するデータの一例としてコンテンツを挙げているが、単純な文字情報等、どのようなデータであっても良い。
【００７９】
放送ストリーム３１は、例えば、受信装置を制御する情報を含む限定情報パケット３１０が挿入された放送ストリームである。この放送ストリームは、ＭＰＥＧ２トランスポートストリームを利用した放送ストリームであり、この放送ストリームは、映像や音声のエレメンタリーパケットや電子コンテンツガイド等のセクション情報の他に、固有のパケット識別番号を持つ限定情報パケット３１０を挿入することが可能な放送ストリームである。
【００８０】
限定情報パケット３１０は、様々な用途に使用することが可能となるように各用途毎にシステム識別番号を有する。限定情報パケット３１０の構成は、システム識別番号で規定される仕様に従った構成であるとする。限定情報パケット３１０は、送信装置１が有する受信装置制御情報管理部１２に登録されている情報を基に構築され、放送ストリーム３１に挿入される。
【００８１】
受信装置制御情報管理部１２は、複数の受信装置を使用する使用者Ａが、既存の通信手段１０１（電話やＦＡＸなど）により送信装置１に通知した情報を管理するための管理部である。受信装置制御情報管理部１２は、例えばハードディスクやＤＶＤ−ＲＡＭなどの記録媒体で実現される。
【００８２】
受信装置２１と受信装置２２は、受信装置識別番号により識別される。送信装置１はその受信装置識別番号を管理する。受信装置制御情報管理部１２は、受信装置２１と受信装置２２の受信装置識別番号により、受信装置２１や受信装置２２から通知される情報を管理テーブルなどに格納する。受信装置制御情報管理部１２によって使用者Ａが指定するコンテンツや使用者Ａが指定するコンテンツ種類に合致するコンテンツを使用者Ａが指定する受信装置に同時に自動的に蓄積する。こうすれば物理的に離れた地域Ｒ１と地域Ｒ２に設置された受信装置２１と２２でコンテンツを共有させるサービスを実現することができる。
【００８３】
なお、上記受信装置識別番号は、受信装置識別子と同意味である。受信装置識別番号とは、数値でのみ識別するだけでなく、英文字等の他の情報を用いて受信装置を識別するものであってもよい。以下、同様である。
【００８４】
なお、上述のコンテンツは、データと同意味である。以下、同様である。
コンテンツ種類は、データ識別子に包含される概念である。以下、同様である。
データ識別子とは、データを識別するものであり、データの種類だけでなく、個別のデータを識別するものである。
【００８５】
受信装置を制御する情報を含む限定情報パケット３１０が挿入された放送ストリーム３１は、送信装置１から送出され、地域Ｒ１と地域Ｒ２に到達し、地域Ｒ１に設置されたＡ使用の受信装置２１と地域Ｒ２に設置されたＡ使用の受信装置２２で受信される。Ａ使用の受信装置２１，２２は、夫々、受信装置識別番号ＩＤ（Ａ１）とＩＤ（Ａ２）を持つ。
【００８６】
受信装置２１及び受信装置２２では、受信する放送ストリーム３１を復号することが可能な復号器が常時稼動している。受信装置２１及び受信装置２２は、順次復号されるパケット群から限定情報パケット３１０を検索抽出する。抽出された限定情報パケットを復号し、受信装置を制御する情報を含むシステム識別番号を持つ限定情報パケット３１０を取り出す。
【００８７】
次に、受信装置２１は、自身に割り当てられている受信装置識別番号ＩＤ（Ａ１）と一致する限定情報パケットを抽出する。又、受信装置２２は、自身に割り当てられている受信装置識別番号ＩＤ（Ａ２）と一致する限定情報パケット３１０を抽出する。受信装置２１及び受信装置２２は、最終的に抽出された限定情報パケット３１０に含まれる受信装置を制御する情報を復号、解読する。その解読結果に基づき、受信装置２１及び受信装置２２で管理される蓄積媒体の内、受信装置２１及び受信装置２２で指定される種類の蓄積媒体に、受信装置を制御する情報で指定されるコンテンツを、自動的に記録することが可能である。２つの受信装置にコンテンツが自動的に記録されるタイミングは、ほとんど同時でも良いし、違っても良い。
ここで、限定情報パケットが有する蓄積媒体の種類を示す情報が蓄積識別子の一例である。
【００８８】
尚、蓄積媒体の種類は、蓄積媒体を識別する識別子により指定される。具体的には、蓄積媒体識別子は送信装置で管理されている。そして、送信装置において、受信装置を制御する情報中にその蓄積媒体識別子を付加して、限定情報パケット３１０を構築する。そして、送信装置において、限定情報パケット３１０を放送ストリーム３１に挿入する。以上の動作により、蓄積媒体の種類を指定することが可能である。
【００８９】
また、蓄積識別子は、蓄積媒体の種類を識別するだけでなく、蓄積媒体の個体を識別しても良い。
【００９０】
以下に上述した各構成装置の詳細を説明する。図１の送信装置１は、基本構成部としてコンテンツを編成するコンテンツ編成部１３と、コンテンツを送信するコンテンツ送出部１１とを有し、その間に介在する受信装置制御情報管理部１２を持つ送信装置である。
【００９１】
受信装置制御情報管理部１２は、コンテンツ編成部１３からコンテンツ編成情報信号１４を受け取り、最終的に受信装置を制御する情報を含むディスクリプタ信号１５をコンテンツ送出部１１に送る。コンテンツ編成部１３は、送信のために編成される全てのコンテンツに、１日毎にコンテンツ番号を生成して割当てる。当コンテンツ番号の生成は、図示しないタイマ（コンテンツ編成部が保持する）から日時情報を得て生成する。コンテンツ番号の仕様の一例を図２に示す。上記コンテンツ番号は、上述のデータ識別子の一例である。
【００９２】
コンテンツ番号は、６オクテットで構成される。下位２オクテットは、１日に送信されるコンテンツに順次付与される管理番号である。次の３オクッテットは日付情報である。従って、コンテンツ番号は、各コンテンツ毎に固有の番号である。コンテンツ番号の先頭１オクテットは、コンテンツ種類番号である。コンテンツ種類番号は、送信コンテンツを分類するための番号である。コンテンツの分類と種類毎に割当てられる番号を図３に示す。
【００９３】
図４に受信装置制御情報管理部１２の構成を示す。受信装置制御情報管理部１２は、制御情報保持メモリ１２１と、比較器１２２と、ディスクリプタ生成器１２３から構成される。制御情報保持メモリ１２１は、図６に示される受信装置制御情報テーブルを保持する。受信装置制御情報テーブルは、送信コンテンツを複数の受信装置に自動的に蓄積するサービスを利用する利用者名と、利用者が指定し使用する受信装置の識別番号と、利用期間と、自動蓄積を希望するコンテンツ番号、あるいは、コンテンツ種類番号を有する。
【００９４】
蓄積媒体を識別する識別子を、送信装置側で管理して、コンテンツ種類やコンテンツ番号に対応する蓄積媒体を送信側で決定して受信装置を制御する場合は、図５に示すように蓄積媒体情報保持メモリ１２４をさらに備える。蓄積媒体情報保持メモリ１２４では、図１３に示すような各コンテンツの種類を表すコンテンツ種類番号と蓄積識別子とを対に保持する。また、コンテンツ番号と蓄積識別子との対に保持する表であっても良い。
【００９５】
使用者Ａは既存の通信手段である電話、ファクシミリ、ＣＡＴＶ、無線通信等を利用して、図１に示す送信装置１の管理運営者へ利用者情報の登録を依頼する。送信装置１の管理運営者は、制御情報保持メモリ１２１に保持されている受信装置制御情報テーブルに追加、変更することで受信装置制御情報テーブルへ利用者情報を登録する。例えば使用者Ａは、氏名と、Ａが使用する複数のサービスを受ける受信装置２１と受信装置２２の識別番号と、サービスを受ける期間と、自動蓄積したいコンテンツ番号、あるいは、コンテンツ種類番号を送信装置１の管理運営者に通知する。
【００９６】
また、蓄積媒体を識別する識別子を、送信装置側で管理して、ディスクリプタ生成器１２３に識別子を渡し、放送ストリーム３１に挿入することで実現する場合は、図７に示すように使用者Ａが指定する蓄積識別子をコンテンツ種類番号毎、あるいは、コンテンツ番号毎に対応させて利用者情報として受信装置制御情報テーブルに登録する。
【００９７】
図４の受信装置制御情報管理部１２による受信装置を制御する情報の生成処理手順を、図１４から図１８で示すフローチャートを用いて説明する。図１４のフローチャートにおいて、ステップＳ１１１では、比較器１２２は制御情報保持メモリ１２１に保持されている受信装置制御情報テーブルから、受信装置識別番号とそれに対応しているコンテンツ番号、もしくは、コンテンツ種類番号を取得する。ステップＳ１１３で、コンテンツ番号か、コンテンツ種類番号を判別する。ステップＳ１１５では、取得した番号がコンテンツ番号の場合は、コンテンツ番号を基に、コンテンツ編成部１３で編成されているコンテンツ群から該当するコンテンツを検索する。ステップＳ１１４では、取得した番号がコンテンツ種類番号の場合は、コンテンツ種類番号を基に、コンテンツ編成部１３で編成されているコンテンツ群から該当するコンテンツ種類番号を含むコンテンツを検索する。次に、ステップＳ１１６では、検索して得られたコンテンツのコンテンツ番号と、コンテンツを蓄積する受信装置の受信装置識別番号をディスクリプタ生成器１２３に送る。ディスクリプタ生成器１２３は、コンテンツ番号と受信装置識別番号とからディスクリプタを構築する。ステップＳ１１７では、コンテンツ送出部１１へ送る。以上の処理を制御情報保持メモリ１２１に保持されている受信装置制御情報テーブルの終端を検出する（ステップＳ１１２）まで繰り返す。
【００９８】
また、蓄積媒体を指定する蓄積識別子をもディスクリプタに加えて送信する場合、蓄積識別子は、使用者が指定して上述の通信手段で決定しても良いし、送信装置側で適宜入力しても良い。
【００９９】
使用者が蓄積媒体を指定する場合は、図７に示す受信装置制御情報テーブルを使用して、使用者が指定する蓄積識別子もディスクリプタ生成器１２３が取得する。ディスクリプタ生成器１２３は、コンテンツ番号と受信装置識別番号に蓄積識別子も加えてディスクリプタを構築して、コンテンツ送出部１１へ送る。
【０１００】
上記蓄積識別子は、上述の通信手段により送られる使用者情報を構成する一情報である。
【０１０１】
送信側で自動的に蓄積媒体を指定する場合は、ディスクリプタ生成器１２３が図５の蓄積媒体情報保持メモリ１２４に保持しているテーブルから各コンテンツ種類番号、もしくは、コンテンツ番号に対応する蓄積識別子を取得してディスクリプタを構築して、コンテンツ送出部１１へ送る。
【０１０２】
コンテンツ送出部１１は、コンテンツ編成部１３から送られるコンテンツと受信装置制御情報管理部１２から送られるディスクリプタをＭＰＥＧ２トランスポートストリームに符号化して、図１で示す放送ストリーム３１として送出する。
【０１０３】
次に、コンテンツ種類番号による検索処理とコンテンツ番号による検索処理を夫々図１５，図１６のフローチャートを用いて説明する。ステップＳ１２１、もしくは、Ｓ１３１では、比較器１２２は、コンテンツ編成部１３から順次、編成されているコンテンツのコンテンツ番号を取得する。ステップＳ１２３では、取得したコンテンツ番号と、制御情報保持メモリ１２１に保持されている受信装置制御情報テーブルから取得したコンテンツ番号を比較する。コンテンツ種類番号による検索処理の場合は、コンテンツ種類番号のみを比較する（ステップＳ１３３）。
【０１０４】
一致する場合は、制御情報保持メモリ１２１に保持されている受信装置制御情報テーブルから利用期間を取得し（ステップＳ１２４、もしくは、Ｓ１３４）、コンテンツ番号に含まれる日付情報と比較する（ステップＳ１２５、もしくは、Ｓ１３５）。利用期間が一致する場合は、コンテンツ番号と受信装置識別番号とをバッファリングする（ステップＳ１２６とＳ１２７、もしくは、Ｓ１３６とＳ１３７）。
【０１０５】
また、送信側で蓄積媒体を指定する場合は、ステップＳ１２７、もしくは、ステップＳ１３７において、受信装置制御情報テーブルから蓄積識別子をも取得してバッファリングする。
さらに、送信側で自動的に蓄積媒体を決定する場合は、ステップＳ１２７、もしくは、ステップＳ１３７において、蓄積媒体情報保持メモリ１２４に保持しているテーブルから各コンテンツ種類番号、もしくは、コンテンツ番号に対応する蓄積識別子を取得してバッファリングする。
【０１０６】
以上の処理を、コンテンツ編成部１３によって編成されているコンテンツの終端を検出するまで繰り返す（ステップＳ１２２、もしくは、Ｓ１３２）。
【０１０７】
次に、ディスクリプタ生成器１２３が生成するディスクリプタの詳細を図８を用いて説明する。生成されるＭＰＥＧ２トランスポートストリームの限定情報パケット（パケット識別番号１）の一要素としてディスクリプタが生成される。このディスクリプタは、固有のシステム識別番号及びプライベートデータ領域を持つものとする。このシステム識別番号は、送信コンテンツを複数の受信装置に自動的に蓄積するサービスを実現するための制御情報ディスクリプタであることを示す。プライベートデータは、１オクテットの制御受信装置数の領域と、この領域で示される受信装置数だけ、コンテンツ蓄積対象の受信装置識別番号が格納される。受信装置識別番号は、夫々３２オクテット以内で構成される。受信装置識別番号が格納されている領域の直後に続いて、１オクテットのコンテンツ番号数領域が格納される。コンテンツ番号数領域で与えられる数だけ、自動的に蓄積するコンテンツのコンテンツ番号が格納される。コンテンツ番号は、６オクテットで構成される。
【０１０８】
また、送信側で蓄積媒体を指定する場合は、図９で示すように、コンテンツ番号を格納する領域に続けて蓄積識別子を格納する。プライベート領域の残存部分は、パディングされる。
【０１０９】
ディスクリプタ生成処理について図１７，図１８のフローチャートを用いて説明する。ステップＳ１４１では、ディスクリプタ生成器１２３は、プライベートデータをバッファリングするバッファを確保して、制御受信装置数とコンテンツ番号数をカウントするカウンタを初期化する。ステップＳ１４２では、比較器１２２でバッファリングされている受信装置識別番号とそれに対応するコンテンツ番号を順次、取得する。また、送信側で蓄積媒体を指定する場合は、蓄積識別子も順次、取得する。ステップＳ１４４では、プライベートデータ用バッファに今回格納するコンテンツ番号群と、他のプライベート用バッファに既に格納されているコンテンツ番号群を比較する。
【０１１０】
これらの番号群が一致する場合は、該当するプライベート用バッファの残量を取得する（ステップＳ１４５）。ステップＳ１４６では、取得したバッファ残量を判定する。制限を超えない場合は、そのプライベート用バッファに受信装置識別番号を追加格納して、制御受信装置数カウンタを加算して格納する（ステップＳ１４８）。バッファ残量が不足する場合は、該当するプライベートデータ用バッファに、ディスクリプタヘッダを付加してディスクリプタを生成し、バッファしておく（ステップＳ１４９）。更に、ステップＳ１５０では、新規のプライベートデータ用バッファを確保して、制御受信装置数の初期値と、受信装置識別番号と、格納するコンテンツ番号に見合うコンテンツ番号数と、コンテンツ番号を格納する。
【０１１１】
また、送信側で蓄積媒体を指定する場合は、ステップＳ１４２において、蓄積識別子をも抽出する。さらに、ステップＳ１５０において、蓄積識別子をコンテンツ番号毎に格納する。
【０１１２】
今回格納するコンテンツ番号群と、他のプライベート用バッファに既に格納されているコンテンツ番号群とが一致しない場合は、新規のプライベートデータ用バッファを確保して、制御受信装置数の初期値と、受信装置識別番号と、格納するコンテンツ番号に見合うコンテンツ番号数と、コンテンツ番号を格納する（ステップＳ１５１）。また、送信側で蓄積媒体を指定する場合は、蓄積識別子をコンテンツ番号毎に格納する。以上の処理を、比較器１２２が保持しているバッファの終端を検出するまで繰り返す（ステップＳ１４３）。バッファの終端を検出した場合は、ディスクリプタ生成器１２３が保持している、プライベートデータ用バッファの全てに、ディスクリプタヘッダを付加して、ディスクリプタを生成する（ステップＳ１４７）。
【０１１３】
ディスクリプタ生成器１２３は、バッファリングしているディスクリプタを図４で示すディスクリプタ信号１５によりコンテンツ送出部１１に送る。コンテンツ送出部１１は、受取ったディスクリプタを限定情報パケット３１０に構築し、それを図１で示す放送ストリーム３１に挿入する。
【０１１４】
次に放送ストリーム３１を受信する受信装置２１，２２の構成を図１０に示す。受信装置は、常時、放送ストリーム３１を受信することが可能な受信部２１０と、受信装置制御情報に基づいてコンテンツを蓄積する制御を行う蓄積制御部２１２と、蓄積制御部２１２に接続されている複数種類の蓄積媒体２２３、２２４、２２５と、受信装置識別番号や蓄積媒体の種類及び固体を識別する蓄積識別子を含む蓄積媒体選定テーブルを保持する識別子格納部２１１と、受信部２１０から経路２１５を介して送られるコンテンツや蓄積媒体から読み出されて経路２２２を介して送られるコンテンツを復号する復号部２１３から構成される。
【０１１５】
受信部２１０の詳細を図１１に示す。受信部２１０はチューナー２１００、ＭＰＥＧ２トランスポートストリーム復号器２１０１、パケットフィルタ２１０２、コンテンツ取得制限情報パケット復号器２１０３、及び分配器２１０４を含んで構成されている。チューナー２１００は放送ストリーム３１を受信し、ＭＰＥＧ２トランスポートストリーム復号器２１０１で復号する。復号したストリームの内、コンテンツを含むストリームは、経路２１０５へ、その他のストリームは経路２１０６へ送る。経路２１０６で送られるストリームは、パケットフィルタ２１０２でフィルタリングされる。コンテンツ取得制限情報を含むパケットのみが、パケットフィルタ２１０２でフィルタリングされ、コンテンツ取得制限情報パケット復号器２１０３で復号される。その他のパケットは、経路２１７に出力される。
【０１１６】
コンテンツ取得制限情報パケットの復号結果と経路２１８から取得する制限情報との比較結果に従って、経路２１０５に送られたコンテンツストリームの出力を制御する。出力する場合は、分配器２１０４で、コンテンツストリームを分配して、経路２１５から復号部２１３へ送出し、又経路２１６から蓄積制御部２１２へ送出する。チューナー２１００の制御は、受信装置の使用者による制御と、蓄積制御部２１２からの経路２２１を介しての制御が可能である。
【０１１７】
蓄積制御部２１２の構成を図１２に示す。又、受信装置蓄積制御処理を図１９、図２０のチャートを用いて説明する。経路２１７からのパケットは、受信部２１０からのパケット出力であり、パケットフィルタ２１２０の入力となる（ステップＳ１６１）。パケットフィルタ２１２０が、セクション情報を含むパケットを検出する場合（ステップＳ１６２とＳ１６７）、パケットをセクション情報復号器２１２７に送る。セクション情報復号器２１２７は、セクション情報から電子コンテンツガイドを抽出する（ステップＳ１６８）。電子コンテンツガイドは、コンテンツ編成情報を含んでおり、これを自動的にコンテンツを蓄積するための時刻基準とする。電子コンテンツガイドから、編成され送信される全てのコンテンツのコンテンツ番号と時刻情報とチューナー制御情報を取得して、電子コンテンツガイド保持メモリ２１２８に格納する（ステップＳ１６９）。
【０１１８】
パケットフィルタ２１２０が受信装置制御情報を含むパケットを検出する場合（ステップＳ１６２）、そのパケットを受信装置制御情報ディスクリプタ復号器２１２１に送る。受信装置制御情報ディスクリプタ復号器２１２１は、ディスクリプタを復号する（ステップＳ１６３）。更に、プライベートデータを復号し、プライベートデータから制御すべき受信装置識別番号をする（ステップＳ１６４）。取得した受信装置識別番号を比較器２１２２へ送る。比較器２１２２は、受信装置制御情報ディスクリプタ復号器２１２１から取得した受信装置識別番号と、経路２１９を介して識別子格納部２１１から取得する自己の固有の受信装置識別番号とを比較する（ステップＳ１６５）。
【０１１９】
受信装置識別番号が一致した場合、受信装置制御情報ディスクリプタ復号器２１２１は、復号したプライベートデータからコンテンツ番号数とコンテンツ番号を取得する（ステップＳ１６６とＳ１７１）。そしてコンテンツ番号を比較器２１２３に送る。比較器２１２３は、そのコンテンツ番号を電子コンテンツガイド保持メモリ２１２８に保持されている電子コンテンツガイドから取得する全てのコンテンツ番号と比較する（ステップＳ１７２）。
【０１２０】
一致するコンテンツ番号を検出した場合は、電子コンテンツガイドから対応するコンテンツの時刻情報、チューナー制御情報を取得して受信装置制御情報ディスクリプタ復号器２１２１に送る。受信装置制御情報ディスクリプタ復号器２１２１は、蓄積識別子を選定するために、再度コンテンツ番号を比較器２１２２へ送る。比較器２１２２は、識別子格納部２１１の図１３で示される蓄積媒体識別テーブルから、コンテンツ種類に対応する蓄積識別子を取得し、受信装置制御情報ディスクリプタ復号器２１２１に送る。受信装置制御情報ディスクリプタ復号器２１２１は、比較器２１２２から取得する蓄積識別子と、比較器２１２３から取得する蓄積対象コンテンツの時刻情報と、チューナー制御情報をバッファリングする（ステップＳ１７３とＳ１７４）。以上の処理をプライベートデータから抽出したコンテンツ番号数に達するまで繰り返す（ステップＳ１７０）。
【０１２１】
コンテンツ番号数に達する場合、受信装置制御情報ディスクリプタ復号器２１２１がバッファリングしている蓄積識別子、時刻情報、チューナー制御情報を蓄積予約情報保持メモリ２１２５に格納する（ステップＳ１７５）。蓄積制御器２１２６は、タイマにより蓄積予約情報保持メモリ２１２５を監視している。蓄積予約情報保持メモリ２１２５に格納されている時刻情報と一致する時刻の場合、その時刻情報に対応するチューナー制御情報を取得し、経路２２１を介して受信部２１０のチューナー２１００を制御する。そして経路２１６を介して受信部２１０からコンテンツストリームを取得する。蓄積制御器２１２６は、コンテンツストリームを蓄積予約情報保持メモリ２１２５に格納されている蓄積識別子で指定されるいずれかの蓄積媒体に蓄積する。
【０１２２】
図１３で示される蓄積媒体識別テーブルに基づいて、蓄積制御器２１２６は接続されている蓄積媒体を認識して媒体種類を決定し、識別子格納部制御器２１２９に蓄積識別子を送る。識別子格納部制御器２１２９は、コンテンツ種類に対応する蓄積媒体を決定し、経路２２０を介して識別子格納部２１１に蓄積媒体識別テーブルを構築する。
【０１２３】
尚、上記識別子格納部２１１は、蓄積制御情報格納部を含んでもよい。また、上記識別子格納部２１１は、受信装置識別子格納部をも含んでもよい。
【０１２４】
上記蓄積制御部２１２は、蓄積識別子取得部の機能を含んでもよい。また、上記蓄積制御部２１２は、受信装置識別子取得部の機能を含んでもよい。
【０１２５】
本実施の形態においては、受信装置識別子を受信装置固有の番号として説明しているが、その限りではなく、複数の受信装置を対象とした識別子であってもよい。たとえば、受信装置が存在する地域を識別する地域識別子であってもよい。地域識別子として受信装置を識別する手段は、本実施の形態における受信装置識別番号による場合と同様である。
【０１２６】
また、図２１に示すように受信装置を識別するための判断部２７１を独立させてもよい。前記判断部２７１では、受信装置が受信装置識別子格納部２７２において保持する自身の受信装置識別子と受信部２１０で受信する受信装置識別子とを比較する。このとき、部分的に一致する場合でも、受信部２１０で受信するデータを取得すると判断してもよい。すなわち、２つの受信装置識別子が完全に一致しなくとも、データを取得すると判断してもよい。
【０１２７】
例えば、受信装置識別子が８ＢＹＴＥで構成され、前４ＢＹＴＥが地域を特定する地域識別子であり、後４ＢＹＴＥが受信装置毎に割り当てられる場合に、第一の受信装置識別子が前４ＢＹＴＥの地域識別子のみを特定するとき、第一および第二の受信装置識別子が前４ＢＹＴＥが一致すれば、「一定の関係にある」としてもよい。
【０１２８】
以上、説明した本発明の第１の実施の形態により、複数種類の蓄積媒体を接続している複数の受信装置に自動的に同時に使用者等が指定するコンテンツを蓄積することが可能となる。使用者等が指定するコンテンツを指定する蓄積媒体に自動的に蓄積することが可能となる。
【０１２９】
尚、本実施の形態では、蓄積媒体は蓄積制御器２１２６に常時固定的に接続されているものとして説明しているが、常時固定的に接続されている必要はなく、随時接続しても同様の効果を得ることができる。
【０１３０】
又、識別子格納部２１１に構築する蓄積媒体識別テーブルは、コンテンツ種類に基づいた蓄積媒体選定テーブルに限るものではなく、コンテンツサイズ、送信時間帯等のデータの属性によって蓄積媒体を選定するテーブルとして構築することも可能である。
【０１３１】
更に、蓄積識別子を蓄積媒体毎に唯一固定の値とする。また、蓄積媒体の選定を蓄積制御部２１２で選定する以外に、送信装置１で選定して受信装置制御情報に付加して放送ストリーム３１に挿入することにより、送信側で受信装置に接続されている蓄積媒体を選定することも可能である。
【０１３２】
尚、上記で説明した受信装置における蓄積制御を行う動作について、コンピュータが読み取り可能なプログラムで実現し、そのプログラムをコンピュータが読み取り可能な記録媒体で流通させても良い。
【０１３３】
又、本実施の形態の送受信システムは、放送ストリームにより説明を行ったが、この限りではなく、通信パケット等の通信手段を用いても実現可能である。
本実施の形態は、一形態に過ぎず請求項で表している発明を実施する他の対応であっても本願発明に含まれるのは言うまでも無い。以下の実施の形態においても同様である。
【０１３４】
（第２の実施の形態）
以下、本発明の第２の実施の形態を図２２から図２６を用いて説明する。図２２は記録機器の使用者とネットワーク端末を用いた、本実施の形態における放送システムの概略の構成を示す図である。図２２において、送信装置１と受信装置制御情報付き放送ストリーム３１は第１の実施の形態における説明で用いた図１と同一の機能を有するものである。又第１の実施の形態で説明したように、使用者Ａは最低行政区域単位で分割された地域内にある家庭やオフィスを示す地域Ｒ１に設置されている受信装置識別番号ＩＤ（Ａ１）の受信装置２１と、地域Ｒ１とは異なる最低行政区域単位で分割された地域内にある家庭やオフィスを示す地域Ｒ２に設置されている受信装置識別番号ＩＤ（Ａ２）の受信装置２２とを使用している。ここで、使用者Ａはネットワーク端末４１を操作することにより、電話回線２０２とインターネット２０１と電話回線２０４を介して管理装置５１へ接続し、情報の送受信を行うものとする。更に、管理装置５１は電話回線２０４、インターネット２０１、及び電話回線２０５を介して送信装置１における受信装置制御情報管理部１２と接続されているものとする。
【０１３５】
なお、地域Ｒ１とＲ２は、行政区域単位でなく、家庭、学区、商業施設等や論理的な概念に基づく地域であってもよい。また、Ｒ１とＲ２は同一の地域であっても良いし、異なる地域であっても良い。
【０１３６】
図２３は、図２２における管理装置５１の詳細な構成を示したものである。図２３において、管理装置５１は、送受信制御部５１０、個人固定的興味度データ保持メモリ５１１、個人興味度閾値データ保持メモリ５１２、個人データ制御部５１３、及び制御情報送信部５２１で構成されている。
【０１３７】
なお、上記送受信制御部５１０は上述の属性情報記録部の一例である。上記個人興味度閾値データ保持メモリ５１２は上述の属性情報群格納部の一例である。上記個人固定的興味度データ保持メモリ５１１は上述のデータ群格納部の一部の一例である。上記個人データ制御部５１３は、上述のデータ取得規則格納部の一例である。上記送受信制御部５１０は、上述の属性情報受信部の一例である。
【０１３８】
送受信制御部５１０は、図２２に示すように電話回線２０４、インターネット２０１、及び電話回線２０２を介して使用者Ａのネットワーク端末４１と接続されている。そして、送受信制御部５１０は、電話回線２０４、インターネット２０１、及び電話回線２０５を介して受信装置制御情報管理部１２と接続されている。
【０１３９】
次に、受信装置を使用している使用者が管理装置５１に個人の情報を登録する操作、および管理装置５１の動作について図２３を用いて説明する。まず使用者Ａの操作によりネットワーク端末４１から送信された情報は、電話回線２０２、インターネット２０１、及び電話回線２０４を介して送受信制御部５１０で受信される。そして、送信された情報が使用者Ａの初期登録データであれば個人データ制御部５１３に送信する。又送信された情報が使用者Ａのデータに対する固定的な興味を有する固定的興味度情報であれば、個人固定的興味度データ保持メモリ５１１に格納する。個人固定的興味度データ保持メモリ５１１は個人の固定的興味度データテーブルを記憶する固定的興味度情報格納部である。送信された情報が使用者Ａのデータに対する固定的な興味度に変化をもたらす付加情報であれば、個人興味度閾値データ保持メモリ５１２に格納されている後述の個人興味度指標データテーブルに送信された情報を登録する。ここで個人データ制御部５１３は、個人の固定的興味度情報と付加情報とから蓄積媒体に蓄積するデータの選定または蓄積媒体の媒体選定の少なくとも一方の選定を行う蓄積制御部である。
【０１４０】
図２４は、使用者Ａの個人の情報を管理装置５１に登録するための手続きの流れを示す図である。登録時には使用者Ａは、まず個人情報、例えば氏名、住所、使用する受信装置の受信装置識別番号等を管理装置５１に送信する。この送信により初期登録を行い、管理装置５１から登録ＩＤ（Ａ１）を取得する。このとき、管理装置５１は図２６に例示するような受信装置識別番号テーブルを構築し、管理する。図２６に示す受信装置識別テーブルでは、使用者Ａは受信装置識別番号としてＩＤ（Ａ１）とＩＤ（Ａ２）である受信装置を使用しており、これらを登録していることを示している。
【０１４１】
次に使用者Ａはコンテンツ種別ごとの興味度、つまり個人の固定的興味度データを送信し、管理装置５１に登録し、承認通知を受け取る。このとき管理装置５１は、図２７に例示するような個人の固定的興味度データテーブルを構築し、個人データ制御部５１３で管理する。図２７に示す個人の固定的興味度データテーブルでは、使用者Ａは、コンテンツ種類番号００に対する興味度は「１．０」であり、コンテンツ種類番号０１に対する興味度は「−２．５」であること等を示している。
【０１４２】
ここで、使用者Ａの使用する記録機器に自動記録するコンテンツの選択精度を高めるために使用する付加情報について例示する。使用者Ａは、日々の生活環境、すなわち自身の現在の精神状態や身体的状況、あるいは自身の周囲の状況等を示す度合い（以下、指標という）を決定し、管理装置５１に送信する。この送信された指標を管理装置５１に登録する。又使用者Ａは、指標を管理装置５１に送信することにより、データに対する個人の固定的興味度に対してどのような効果があるのかをあらかじめ決定し、これも管理装置５１にあらかじめ登録しておく。
【０１４３】
例えば、使用者Ａが使用する記録機器に自動記録させるコンテンツ種別を判定する時に、既に登録してあるコンテンツ種別ごとの固定的興味度がある一定以上の値（前述の個人興味度閾値、例えば０．０）より大きい場合に、該当するコンテンツ種別に属するコンテンツを自動記録するものと判定することとする。図２９に示すように、指標として「健康度」、「ゆとり度」、「家計」等を決定し、次に、夫々が個人興味度閾値データとして「−１．５」、「−２．０」、「＋１．５」になることを決定し、登録するものとする。また、図２８に例示するように、各コンテンツ種類ごとに使用者Ａが使用したい蓄積媒体の蓄積識別子を管理装置５１に送信し登録することにより、コンテンツが蓄積される蓄積媒体、あるいはその種類を指定できるものとする。
【０１４４】
蓄積媒体またはその種類の指定方法は、図２５で示すように管理装置５１に初期する。また、変更は図３１で示すように管理装置５１に変更通知することで実現する。
【０１４５】
更に、使用者Ａは随時（例えば毎日）指標を管理装置５１に通知する（つまり付加情報を送信する）ことで、個人興味度閾値データを変更することが可能である。
【０１４６】
例えば、図３０に例示するように、使用者Ａがネットワーク端末４１を操作して管理装置５１に送信開始を通知することにより、図２３の送受信制御部５１０が一旦個人興味度閾値データ保持メモリ５１２に格納されている（図２９に例示する）個人興味度閾値データテーブルを読み込み、準備完了通知を行うこととする。
【０１４７】
次に、使用者Ａは変更したい指標を通知することにより、送受信制御部５１０が該当する指標に対する現在の個人興味度閾値データの現在の値と、それをどのように変更したいかを問い合わせてくる。その問い合わせに対して、使用者Ａが数値を指定することにより、個人興味度閾値データの値を変更するものとする。図３０では「ゆとり度」「−２．０」を「−１．０」に変更する処理を例示している。また、コンテンツが蓄積される蓄積媒体、あるいはその種類を変更したい時には、図３１に例示するように、コンテンツ種類ごとに使用者Ａが変更したい蓄積媒体の蓄積識別子の変更通知を管理装置５１に送信する。
【０１４８】
以上のように、管理装置５１は、図２６に示す受信装置識別番号テーブル、図２７に示す個人の固定的興味度データテーブル、及び図２９に示す個人興味度閾値データテーブルを構築する。そして、受信装置識別番号テーブル、個人固定的興味度データテーブル、及び個人興味度閾値データテーブルは、夫々管理装置５１が管理する使用者の数だけ作成され、受信装置識別テーブルは個人データ制御部５１３に、個人固定的興味度データテーブルは個人固定的興味度データ保持メモリ５１１に、個人興味度閾値データテーブルは個人興味度閾値データ保持メモリ５１２に夫々格納され管理される。
【０１４９】
ここで、使用者Ａが使用する記録機器に自動記録させるべきコンテンツ種別の判定手順に関して、図２３に示す管理装置５１の構成、及び図３２に示すフローに沿って説明する。管理装置５１の個人データ制御部５１３は、あらかじめ決められたタイミングで、あらかじめ決められた基準で判定対象となる使用者を決定して判定を開始する。
【０１５０】
次に個人データ制御部５１３は、個人興味度閾値データ保持メモリ５１２より判定対象の使用者の個人興味度閾値データテーブル（ 図２９に例示） を読み込む（ステップＳ２１２）。個人データ制御部５１３は、読み込んだ個人興味度閾値データテーブルに基づいて（例えば全ての項目の値の平均値に基づいて、または全ての項目の値の加算した値に基づいて等）判定対象の使用者の個人興味度閾値を決定する（ステップＳ２１３）。例えば図３３に示すように使用者Ａの個人興味度閾値は（−１．０）と決定される。
【０１５１】
次に、個人データ制御部５１３は、個人固定的興味度データ保持メモリ５１１より判定対象の使用者の個人固定的興味度データテーブルを読み込む（ステップＳ２１４）。そして、個人データ制御部５１３は、例えば図２７に示すように、個人固定的興味度データテーブルに登録されている各コンテンツ種別ごとに、その興味度の値と、図３３に示す個人興味度閾値（−１．０）とを比較する（ステップＳ２１６）。
【０１５２】
ここで、興味度の値が個人興味度閾値より大きい場合、個人データ制御部５１３はこのコンテンツ種別に属するコンテンツを使用者Ａが使用する記録機器に自動記録させるべきと判定し、このコンテンツ種類番号を図３４に示すように送信コンテンツ種類番号テーブルを構築していく（ステップＳ２１７）。以上のように全ての対象となる使用者に関して夫々のコンテンツ種別に対する判定に夫々の使用者の個人興味度閾値を用いる。
【０１５３】
最後に、個人データ制御部５１３は、図３４に示す構築した送信コンテンツ種類番号テーブルの情報と図２６に示す自身が管理する受信装置識別番号テーブルの情報をあわせた制御情報を制御情報送信部５２１に渡し、制御情報送信部５２１が電話回線２０４、インターネット２０１、及び電話回線２０５を介して図２２に示す送信装置１の受信装置制御情報管理部１２に通知する。受信装置制御情報管理部１２は、第１の実施の形態で説明したように、使用者が使用する記録機器に自動記録させたいコンテンツを決定し、送信装置１が受信装置制御情報付き放送ストリーム３１を送信する。
【０１５４】
以上により、使用者が使用する記録機器に自動記録させるべきコンテンツの選択に際し、コンテンツ種別の選択基準を使用者の日々の生活環境に影響されることにより生じる嗜好性の変化により的確に追従させることが可能となる。このため変更されない固定的な属性基準（個人の固定的興味度データ）にのみ基づいて自動記録させるべきコンテンツを判定していた場合に比べ、使用者Ａの現在の興味度、及びコンテンツの要求度合いをより強く反映したコンテンツを判定し、所望の蓄積媒体に蓄積することができる。
【０１５５】
尚、本実施の形態では、個人データ制御部５１３から得られた制御情報を送信する制御情報送信部５２１を有する管理装置について説明したが、個人データ制御部５１３から得られた制御情報を格納する制御情報格納部を有することとしてもよい。この場合、制御情報格納部に格納されている制御情報をコンピュータが読み取り可能な記録媒体に複写して、受信装置制御情報管理部１２に移す等のようにしても良い。
【０１５６】
又、本実施の形態では、個人データ制御部は蓄積媒体に蓄積するデータを選定する場合を説明したが、第１の実施の形態で説明したように、使用者の受信装置に接続されている複数の蓄積媒体を選定するようにしても良い。
【０１５７】
又、本実施の形態では、個人興味度閾値データテーブルを構築して個人興味度閾値データ保持メモリに格納する場合について説明したが、送受信制御部が付加情報を受信した時に、個人興味度閾値を直接算出し、すぐに個人データ制御部に通知することで、使用者が使用する記録機器に自動記録させるべきコンテンツ種別の判定手順を開始することとしても良い。
【０１５８】
本実施の形態においては、上述のデータ取得規則格納部の一例として、上記個人データ制御部５１３により説明をしている。また、前記データ取得規則格納部が保持するデータ取得規則とは、以下に示すｎ個のパラメータによって決定される規則である。
ｙｎは、式ｆ（ｘ１，ｘ２，・・・， ｘｎ）によって決定される規則である。
本実施の形態における、上記関係式の各パラメータと式は以下のとおりである。
ｙｎ  ・・・  各コンテンツ種類に対する固定的興味度
ｘ１  ・・・  健康度に対する興味度閾値
ｘ２  ・・・  ゆとり度に対する興味度閾値
ｘ３  ・・・  家計に対する興味度閾値
ｎ   ・・・  ３
ｆ（ｘ１，ｘ２，・・・， ｘｎ）＝（ｘ１＋ ・・・ ＋ｘｎ）
ｙｎ＞ｆ（ｘ１，ｘ２，・・・， ｘｎ）
なお、上記関係式は、規則を示すものであれば、何でもよい。
【０１５９】
本実施の形態は、一形態に過ぎず、請求項で表している発明を実施する他の対応であっても本願発明に含まれるのは言うまでも無い。
【０１６０】
（第３の実施の形態）
本発明の第３の実施の形態を図３５から図４６を用いて説明する。図３５は記録機器の使用者とネットワーク端末を用いた、本実施の形態における送受信システムの概略の構成を示す図である。図３５において、送信装置１と受信装置制御情報付き放送ストリーム３１は第１の実施の形態における説明で用いた図１と同一の機能を有するものである。又、第２の実施の形態における図２２で説明したように、使用者Ａは最低行政区域単位で分割された地域内にある家庭やオフィスを示す地域Ｒ１に設置されている受信装置識別番号ＩＤ（Ａ１）の受信装置２１と、地域Ｒ１とは異なる最低行政区域単位で分割された地域内にある家庭やオフィスを示す地域Ｒ２に設置されている受信装置識別番号ＩＤ（Ａ２）の受信装置２２とを使用している。
【０１６１】
使用者Ｂは地域Ｒ２に設置されている受信装置識別番号ＩＤ（Ｂ１）の受信装置２３を使用しており、使用者Ｃは地域Ｒ２に設置されている受信装置識別番号ＩＤ（Ｃ１）の受信装置２４を使用している。
【０１６２】
又、使用者Ｙは地域Ｒ１と地域Ｒ２とは異なる最低行政区域単位で分割された地域内にある家庭やオフィスを示す地域Ｒ３に設置されている受信装置識別番号ＩＤ（Ｙ１）の受信装置２５を使用しており、使用者Ｚは使用者Ｙと同様に地域Ｒ３に設置されている受信装置識別番号ＩＤ（Ｚ１）の受信装置２６を使用している。
【０１６３】
なお、地域Ｒ１、Ｒ２、R３は、行政区域単位でなく、家庭、学区、商業施設等や論理的な概念に基づく地域であってもよい。また、Ｒ１、Ｒ２、R３は同一の地域であっても良いし、異なる地域であっても良い。
【０１６４】
又、使用者Ａと使用者Ｂと使用者Ｃはグループ番号Ｇ１のグループに属しており、使用者Ａと使用者Ｙと使用者Ｚはグループ番号Ｇ２のグループに属しており、使用者ＡはＧ１とＧ２のグループに属している。同じグループに属している使用者が使用する受信装置には同じコンテンツ種類番号が自動記録される。
【０１６５】
ここで、使用者Ａはネットワーク端末４１を操作することにより、電話回線２０２とインターネット２０１と電話回線２０４を介して管理装置５２へ接続し、情報の送受信を行うものとする。
【０１６６】
又、使用者Ｂ、使用者Ｃ、使用者Ｙ、使用者Ｚは、使用者Ａと同様に、夫々ネットワーク端末４２、ネットワーク端末４３、ネットワーク端末４４、ネットワーク端末４５を操作することにより、電話回線２０３、電話回線２０６、電話回線２０７、とインターネット２０１と電話回線２０４を介して管理装置５２へ接続し、情報の送受信を行うものとする。更に、管理装置５２は電話回線２０４、インターネット２０１、及び電話回線２０５を介して送信装置１における受信装置制御情報管理部１２と接続されているものとする。
【０１６７】
次に、受信装置を使用している使用者が管理装置５２に個人の情報を登録する手順について、図３５から図４３を用いて説明する。図３６は、第３の実施の形態による管理装置５２の構成を示したものである。図３６において、管理装置５２は、送受信制御部５１０、個人固定的興味度データ保持メモリ５１１、個人データ制御部５１３、グループデータ制御部５１６、グループ固定的興味度データ保持メモリ５１７、制御情報送信部５２１とで構成されている。グループ固定的興味度データ保持メモリ５１７は、データ群格納部の一部の一例である。つまり、データ群格納部は一個人の複数の興味度データ（属性情報値）を管理していてもよいし、複数人（グループ）の複数興味度データ（属性情報値）を関しても良い。グループデータ制御部５１６は、データ取得規則格納部の一例である。ここで、送受信制御部５１０、個人データ制御部５１３、個人固定的興味度データ保持メモリ５１１は、第２の実施の形態における説明で用いた図２３の管理装置５１と同一の機能を有するものである。
【０１６８】
送受信制御部５１０は、図３５に示すように電話回線２０４、インターネット２０１、及び電話回線２０２を介して使用者Ａのネットワーク端末４１と、電話回線２０３を介して使用者Ｂのネットワーク端末４２と、電話回線２０６を介して使用者Ｃのネットワーク端末４３と、電話回線２０７を介して使用者Ｙのネットワーク端末４４と、電話回線２０８を介して使用者Ｚのネットワーク端末４５と、そして電話回線２０４、インターネット２０１、及び電話回線２０５を介して受信装置制御情報管理部１２と接続されている。夫々の使用者の操作により、夫々のネットワーク端末から送信された情報は、電話回線、インターネットを介して送受信制御部５１０で受信される。そして、送信された情報がグループ登録情報であれば、グループデータ制御部５１６に送信する。グループデータ制御部５１６はグループ名を登録し、個人固定的興味度データ保持メモリ５１１からグループに属する使用者の個人固定的興味度データを抽出し、個人固定的興味度データからグループ固定的興味度データを生成し、グループ固定的興味度データ保持メモリ５１７にグループ固定的興味度データを格納する。個人固定的興味度データとグループ固定的興味度データについての詳細な説明は後述する。
【０１６９】
図３７は、管理装置５２に使用者登録及びグループ登録するための手順の流れを示すものである。図３７において、使用者Ａは、まず個人情報、例えば氏名、住所、使用する受信装置の受信装置識別番号、利用期間等などの所定情報（以下、所定情報と略す）を管理装置に送信することで、初期登録を行い、管理装置５２から登録ＩＤ（Ａ１）と登録ＩＤ（Ａ２）を取得する。使用者Ａは図３５で説明したように、受信装置を地域Ｒ１と地域Ｒ２の２個所に設置しているため、登録ＩＤは２つ取得することになる。又、図３７に図示していないが、使用者Ｂも使用者Ａと同様に初期登録を行うことにより、登録ＩＤ（Ｂ１）を取得することができる。
【０１７０】
次に、使用者は、第１の実施の形態における説明で用いた図３に例示するコンテンツ種別ごとの興味度、つまり個人固定的興味度データを送信し、管理装置５２に登録し、承認通知を受け取る。このとき管理装置５２は、個人固定的興味度データに基づいて個人固定的興味度データテーブルを構築し、管理する。個人固定的興味度データテーブルについての詳細は後述する。
【０１７１】
次に、使用者Ａと使用者Ｂのグループ登録するための手順について説明する。使用者Ａが管理装置に対してグループ番号の申請を行うと、管理装置５２はあらかじめ用意されているグループ管理テーブルからグループ番号の選定を行い、使用されていないグループ番号（Ｇ１）を決定し、グループ管理テーブルを構築する。管理装置５２は使用者Ａのグループ番号（Ｇ１）を決定すると、図２７で説明した使用者Ａの個人固定的興味度データにグループ番号（Ｇ１）に加入したことを登録し、グループ番号（Ｇ１）を使用者Ａに通知する。使用者Ａは、図３５において、送信装置１から送信されるコンテンツの種類を共有する使用者Ｂとグループ登録を行うために、管理装置５２から通知されたグループ番号（Ｇ１）を使用者Ｂに通知する。使用者Ｂは使用者Ａと同一のグループに属するようにグループ化を行うために、管理装置５２にグループ加入申請を、使用者Ａから通知されたグループ番号（Ｇ１）と所定情報を管理装置５２に送信する。管理装置５２は、使用者Ｂからの所定情報とグループ番号であるグループ化情報を受信すると、グループ管理テーブルからグループ番号を参照し、グループ番号（Ｇ１）の確認と使用者ＢのグループＧ１への登録とグループ管理テーブルの更新を行う。グループ管理テーブルの更新が行われると、管理装置５２は、グループ番号（Ｇ１）に所属する使用者Ａと使用者Ｂの個人固定的興味度データを参照し、個人固定的興味度データに基づいてグループ固定的興味度データを算出し、グループ固定的興味度データテーブルを構築する。更に、グループ固定的興味度データテーブルが構築されると、管理装置５２は使用者Ｂに対してグループ加入許可を通知することでグループ登録を完了する。グループ固定的興味度データテーブルについての詳細は後述する。又、図３７に例示していないが、使用者Ｃのグループ番号Ｇ１へのグループ加入申請する方法も使用者Ｂと同様である。
【０１７２】
以上のように、図３５に示す管理装置５２は、使用者から送られる所定情報に基づいて使用者の受信装置の登録、管理を行い、使用者ごとの受信装置識別番号テーブルを構築し、又、使用者からのコンテンツ種別ごとの興味度である個人固定的興味度データを受信し、個人固定的興味度データテーブルを構築し、管理する。更に、管理装置５２は、使用者からのグループ化情報に基づいて、グループ管理テーブルとグループ固定的興味度データテーブルを構築、管理する。また、管理装置５２は個人固定的興味度データテーブルにおいて、使用者からコンテンツ種別毎に、コンテンツ蓄積対象の蓄積媒体を識別する蓄積識別子を受信して管理できるもとする。
【０１７３】
図３８は、受信装置識別番号テーブルを示す図である。受信装置識別テーブルは、使用者Ａは受信装置識別番号として登録ＩＤ（Ａ１）と登録ＩＤ（Ａ２）である受信装置を使用しており、使用者Ｂは受信装置識別番号としてＩＤ（Ｂ１）である受信装置を使用している、ことを示している。
【０１７４】
図３９は、使用者管理テーブルを示す。使用者管理テーブルは、受信装置識別番号と利用期間の情報を有する。当該管理テーブルは、使用者Ａは受信装置識別番号として登録ＩＤ（Ａ１）と登録ＩＤ（Ａ２）である受信装置を使用しており、登録ＩＤ（Ａ１）と登録ＩＤ（Ａ２）の受信装置２１，２２は、１９９９年８月１日から１９９９年８月３１日までの期間は受信可能であり、１９９９年９月１日から１９９９年９月３０日までの期間は登録ＩＤ（Ａ１）の受信装置２１のみ受信可能であることを示している。又、当該管理テーブルは、使用者Ｂは受信装置識別番号として登録ＩＤ（Ｂ１）受信装置２３を使用しており、利用期間の限定がないことを示している。
【０１７５】
図４０は、個人固定的興味度データテーブルを示す図である。個人固定的興味度データテーブルでは、図３６で説明した使用者がコンテンツ種類番号に対する興味度を「−２．５」から「２．５」までの０．５ステップの１１段階で数値化したものであり、「−２．５」は「まったく興味がない」を意味するものであり、「２．５」は「非常に興味がある」を表現するものである。個人固定的興味度データテーブルは、使用者Ａは、コンテンツ種類番号００に対する興味度は「１．０」であり、コンテンツ種類番号０１に対する興味度は「−２．５」であること等を示している。また、図４１は、個人固定的興味度データテーブルにおいて使用者が指定する蓄積媒体の蓄積識別子を各コンテンツ種別毎に管理することが可能なことを示している。
【０１７６】
図４３は、グループ管理データテーブルを示す図である。グループ管理テーブルは、グループ番号「Ｇ１」に所属する使用者は、使用者Ａ、使用者Ｂと使用者Ｃの３名であることを示している。
【０１７７】
図４４は、グループ固定的興味度データテーブルを示す図である。グループ固定的興味度データテーブルは、グループ管理テーブルから所属する使用者を参照し、その使用者の個人固定的興味度データテーブルから個人固定的興味度データの平均値を算出した数値を保持している。グループ固定的興味度データテーブルは、例えば、グループ番号Ｇ１は、コンテンツ種類番号００に対する興味度は「０．５」であり、コンテンツ種類番号０１に対する興味度は「−１．１」であること等を示している。
【０１７８】
以上のように、管理装置５２は、図３８に示す受信装置識別番号テーブル、図４０、あるいは、図４１に示す個人固定的興味度データテーブル、図４３に示すグループ管理データテーブル及び図４４に示す個人固定的興味度データテーブルを格納する。受信装置識別番号テーブル及び個人固定的興味度データテーブルには、夫々管理装置が管理する使用者の数だけレコード（行）が格納され、グループ管理データテーブル及びグループ固定的興味度データテーブルには、夫々管理装置が管理するグループの数だけレコード（行）が格納される。又図３６において、受信装置識別テーブルは個人データ制御部５１３に、個人固定的興味度データテーブルは個人固定的興味度データ保持メモリ５１１に、グループ管理テーブルはグループデータ制御部５１６に、グループ固定的興味度データテーブルはグループ固定的興味度データ保持メモリ５１７に夫々格納され管理される。
【０１７９】
ここで、使用者Ａが使用する受信装置に接続されている蓄積媒体に自動蓄積させるコンテンツ種別の判定手順に関して説明する。図４５は、コンテンツ種別の判定手順を示すフローチャートを示す図である。図４５において、ステップＳ６００では、あらかじめ決められたタイミングで、あらかじめ決められた基準で判定対象となる使用者を決定して判定を開始する。判定は、判定対象者が全て終了するまで行う。ステップＳ６０１では、個人データ制御部５１３は、個人固定的興味度データ保持メモリ５１１より判定対象の使用者Ａの個人固定的興味度データテーブルと個人データ制御部５１３であらかじめ設定された個人固定的興味度閾値（０．５）を読み込む。
【０１８０】
ステップＳ６０２では、グループデータ制御部５１６が、グループ固定的興味度データ保持メモリ５１７よりグループ固定的興味度閾値（０．０）を読み込む。なお、このグループ固定的興味度閾値（０．０）は、図４４に示す判定対象の使用者Ａのグループ固定的興味度データテーブルとグループデータ制御部５１６であらかじめ設定されている。
【０１８１】
ステップＳ６０３では、ステップＳ６０１で決定した個人固定的興味度閾値とステップＳ６０２で決定したグループ固定的興味度閾値に基づいて、判定対象の使用者と所属するグループが登録しているコンテンツ種別が全て判定終了するまで判定を行う。ステップＳ６０４では、個人興味度の判定であればステップＳ６０５へ進み、グループ固定的興味度の判定であれはステップＳ６０６へ進む。ステップＳ６０５では、ステップＳ６０１で決定した個人固定的興味度閾値に基づいて蓄積コンテンツ種類を判定する。ステップＳ６０６では、ステップＳ６０２で決定したグループ固定的興味度閾値に基づいて蓄積コンテンツ種類を判定する。そしてステップＳ６０７では、ステップＳ６０５で判定した個人蓄積コンテンツ種類とステップＳ６０６で判定したグループ蓄積コンテンツ種類を登録する。
【０１８２】
図４２は、個人蓄積コンテンツ種類番号テーブルを示す図である。このテーブルに格納されているコンテンツ種類番号は、上述のデータ識別子の一例である。図４２に示す個人蓄積コンテンツ種類番号テーブルでは、個人固定的興味度閾値によって判定を行った結果を示す。使用者Ａに対し蓄積を行うコンテンツ種類の番号は「００」と「１０」を示し、使用者Ｂに対して蓄積を行うコンテンツ種類の番号は「０２」、「０３」と「２２」を示している。
【０１８３】
図４６は、グループ蓄積コンテンツ種類番号テーブルを示す図である。グループ蓄積コンテンツ種類番号テーブルは、グループ固定的興味度閾値によって判定を行った結果、グループ番号Ｇ１に蓄積するコンテンツ番号は「１０」であることを示し、グループ番号Ｇ２に蓄積するコンテンツ番号は「１０」、「２１」であることを示している。
【０１８４】
このように、図４２と図４６によれば、個人固定的興味度閾値によって判定した使用者Ａに対する蓄積コンテンツ種類番号は、「００」と「１０」、であり、グループ固定的興味度閾値によって判定した使用者Ａに対する蓄積コンテンツ種類番号は「１０」であり、使用者Ａに蓄積するコンテンツ種類番号は「００」、「１０」となる。
【０１８５】
以上のように、個人固定的閾値とグループ固定的興味度閾値を用いて、管理装置が使用者の使用する記録機器にコンテンツを自動記録させるべきと判定することにより、個人固定的興味度に合致するコンテンツの蓄積と複数の使用者によるグループ固定的興味度に合致するコンテンツの蓄積が可能となる。
【０１８６】
このように個人データ制御部５１３に格納している個人蓄積コンテンツ種類番号テーブルの情報と、グループデータ制御部５１６で格納しているグループ蓄積コンテンツ種類番号テーブルの情報と、グループデータ制御部５１６が管理する受信装置識別番号テーブルの情報とをあわせた制御情報をグループデータ制御部５１６は制御情報送信部５２１に渡す。また、使用者が指定する蓄積識別子を制御する場合は、個人固定的興味度データテーブルから使用者が指定する蓄積識別子をも合わせた制御情報をグループデータ制御部５１６は、制御情報送信部５２１に渡す。制御情報送信部５２１が電話回線２０４、インターネット２０１、及び電話回線２０５を介して送信装置１の受信装置制御情報管理部１２に通知する。受信装置制御情報管理部１２は、前述の第１の実施の形態で説明したように、使用者が使用する受信装置に接続されている蓄積媒体に自動蓄積させたいコンテンツを決定し、送信装置１が受信装置制御情報付き放送ストリーム３１を送信する。
【０１８７】
以上により、本実施の形態によれば、複数人による利用を目的としているコンテンツを、コンテンツを利用する複数人に自動蓄積させることができる。
【０１８８】
本実施の形態においては、上述のデータ取得規則格納部の一例として、上記個人データ制御部５１３と上記グループデータ制御部５１６により説明をしている。また、前記データ取得規則格納部が保持するデータ取得規則とは、以下に示すｎ個のパラメータによって決定される規則である。
ｙｎは、式ｆ（ｘ１，ｘ２，・・・， ｘｎ）によって決定される規則である。
本実施の形態における、上記関係式の各パラメータと式は以下のとおりである。
個人のコンテンツ種類に対する固定的興味度の判定規則は、以下のとおり。
ｙａｎ  ・・・  使用者Ａの各コンテンツ種類に対する固定的興味度
ｆ（ｘａ１，ｘａ２，・・・， ｘａｎ）＝０．５
ｙａｎ＞ｆ（ｘａ１，ｘａ２，・・・， ｘａｎ）  ・・・  （式  ３−１）
使用者Ｂ、使用者Ｃ、使用者Ｙ、使用者Ｚに対応する、ｙｂｎ、ｙｃｎ、ｙｙｎ、ｙｚｎも（式  ３−１）と同様の規則で決定される。
グループのコンテンツ種類に対する固定的興味度の算出規則は、以下のとおり。
ｙgroup００  ・・・  グループのコンテンツ種類番号００に対する固定的興味度
ｘgroup１＝ｙａ００  ・・・  使用者Ａのコンテンツ種類番号００に対する固定的興味度
ｘgroup２＝ｙｂ００  ・・・  使用者Ｂのコンテンツ種類番号００に対する固定的興味度
ｘgroup３＝ｙｃ００  ・・・  使用者Ｃのコンテンツ種類番号００に対する固定的興味度
ｎ＝３
ｆ（ｘgroup１，ｘgroup２，・・・， ｘgroupｎ）＝（ｙａ００＋ｙｂ００＋ｙｃ００）／ｎ
ｙgroup００＝ｆ（ｘgroup１，ｘgroup２，・・・， ｘgroupｎ）  ・・・  （式  ３−２）
コンテンツ種類番号０１、０２、・・・に対応する、ｙgroup０１、ｙgroup０２、・・・も（式  ３−２）と同様の規則で算出される。
グループのコンテンツ種類に対する固定的興味度の判定規則は、以下のとおり。
ｙGｎ＝ｙgroupｎ  ・・・  グループの各コンテンツ種類番号に対する固定的興味度
ｆ（ｘG１，ｘG２，・・・， ｘGｎ）＝０．０
ｙGｎ＞ｆ（ｘG１，ｘG２，・・・， ｘGｎ）  ・・・  （式  ３−３）
他のグループの場合も（式  ３−３）と同様の規則で決定される。
なお、上記関係式は、規則を示すものであれば、何でもよい。
【０１８９】
本実施の形態は、一形態に過ぎず、請求項で表している発明を実施する他の対応であっても本願発明に含まれるのは言うまでも無い。
【０１９０】
尚、図４５のフローチャートの説明では、個人固定的興味度閾値を０．５とし、グループ固定的興味度閾値を０．０としているが、この数値に限られるものではない。使用者が任意の値を設定しても同等の効果を得ることが可能である。
【０１９１】
グループ固定興味度閾値に基づいておれば、上述した実施の形態以外でも実現可能である。
【０１９２】
尚、上記で説明した受信装置における蓄積制御を行う動作をコンピュータが読み取り可能なプログラムで実現し、そのプログラムをコンピュータが読み取り可能な記録媒体で流通させても良い。
【０１９３】
（第４の実施の形態）
本発明の第４の実施の形態を、図４７から図５５を用いて説明する。送受信システムの全体構成については図３５に示す第３の実施の形態と同一であるので、同一部分についての説明を省略する。
【０１９４】
図４７は、管理装置５３の構成を示す図である。図４７において、管理装置５３は、送受信制御部５１０、個人データ制御部５１３、個人固定的興味度データ保持メモリ５１１、グループデータ制御部５１６、制御情報送信部５２１、グループ固定的興味度データ保持メモリ５１７と、個人興味度閾値データ保持メモリ５１２、グループ興味度閾値データ保持メモリ５２０とで構成されている。
【０１９５】
ここで、送受信制御部５１０、個人データ制御部５１３、個人固定的興味度データ保持メモリ５１１、グループデータ制御部５１６、グループ固定的興味度データ保持メモリ５１７は第３の実施の形態の説明で用いた図３５及び図３６の管理装置５２と同一の機能を有するものである。
【０１９６】
送受信制御部５１０は、図３５に示すように電話回線及びインターネットを介して受信装置制御情報管理部１２と接続されている。夫々の使用者の操作により、夫々のネットワーク端末から送信された情報は、電話回線、インターネットを介して送受信制御部５１０で受信される。
【０１９７】
送受信制御部５１０は、第２の実施の形態における図２３で説明したように、送信された情報が個人興味度閾値を変更するための登録情報（付加情報）であれば、個人データ制御部５１３に送信し、個人興味度閾値データ保持メモリ５１２に格納されている個人興味度閾値データテーブルに登録し、個人固定的興味度データであれば個人固定的興味度データ保持メモリ５１１に格納されている個人固定的興味度データテーブルに格納する。また、送受信制御部５１０は、使用者が指定する蓄積識別子も登録情報として個人興味度閾値データテーブルに格納する。
【０１９８】
又、送信された情報がグループ登録情報であれば、第３の実施の形態における図３６で説明したように、送受信制御部５１０は、グループデータ制御部５１６に送信する。グループデータ制御部５１６は、グループ管理データテーブルに送信された情報を登録し、グループデータ制御部５１６はグループ固定的興味度データであればグループ固定的興味度データ保持メモリ５１７に格納されているグループ固定的興味度データテーブルに格納する。
【０１９９】
更に、送受信制御部５１０は送信された情報がグループ興味度閾値を変更するための登録情報であれば、グループデータ制御部５１６に送信する。グループデータ制御部５１６は、グループ興味度データ保持メモリ５２０に格納されているグループ興味度閾値データテーブルに送信された情報を登録する。
【０２００】
ここで、グループ興味度閾値データの決定方法について例示する。グループ興味度閾値データは、蓄積コンテンツを選択する場合の精度を高めるために用いられる。
【０２０１】
第２の実施の形態では、図２９に示すように、蓄積コンテンツの選択精度を高めるために個人興味度閾値は指標によって決定し、管理装置に送信し、指標を管理装置に登録したが、本実施の形態では、図４８に示すようなグループ内に共通する指標として共通指標を用いて、個人興味度閾値を決定する。さらに、グループ構成員の個人興味度閾値からグループ興味度閾値を決定する。
【０２０２】
図４８は、あるグループが管理装置に登録する共通指標による個人の興味度を示す図である。図４８において、「忙しい」、「眠い」、「体調が悪い」等のあるグループの共通指標と、「０．５」、「−０．５」、「１．０」等のグループを構成する個人の個人興味度閾値が管理されている。なお、管理されている個人興味度閾値は、例えば、初期値として登録されるものである。
【０２０３】
更に、使用者Ａは随時（例えば毎日）共通指標を管理装置に通知することで、共通指標による個人興味度閾値を更新することにより、グループ興味度閾値データを変更することを可能とする。それを図４９に示す。
【０２０４】
又、受信装置の使用者は、共通指標を管理装置５３に登録することにより、個人の興味度閾値に対してどのような効果があるのかをあらかじめ決定する。
【０２０５】
図４９は、使用者Ａのある時点の共通指標による個人興味度閾値を示す、個人興味度閾値データテーブルである。図４９において、使用者Ａは暇がないという共通指標を用いて、個人興味度閾値を（１．０）という数値で示している。
【０２０６】
図５０は、図４７のグループ興味度閾値データ保持メモリ５２０に格納するグループ興味度閾値データテーブルを示す図である。グループデータ制御部５１６は、個人興味度閾値データ保持メモリ５１２に格納されている共通指標による個人興味度閾値データテーブルから自身が管理するグループ管理テーブルに基づいて、グループ興味度閾値データテーブルをグループ興味度閾値データ保持メモリ５２０に格納し、管理する。グループ興味度閾値データテーブルでは、グループＧ１に所属する使用者全員の個人興味度閾値データが個人興味度閾値データテーブルから構築されることを示している。グループ興味度閾値データテーブルでは、使用者Ａは、「暇がない」という共通指標により、興味度閾値が「１．０」と示されており、使用者Ｂは、「忙しい」という共通指標により、興味度閾値が「０．５」と示されている。又、グループ興味度閾値データテーブルでは、使用者Ｃは、「寂しい」という共通指標により、興味度閾値が「−０．５」と示されている。このようにグループに所属する個人の共通指標による興味度を示すものである。
【０２０７】
図５２は、グループＧ１に所属する使用者個人の個人興味度閾値を示す図である。図５２においては、使用者Ａの個人興味度閾値が図４９で示す各共通指標の興味度データの合計により算出され、その結果が（１．０）であることを示している。また、図５３は、グループ興味度閾値を示す図である。図５３に示すグループ興味度閾値は、グループ興味度閾値データテーブルから使用者毎の興味度データ合計値を、さらに使用者全員についての合計から算出される。図５３では、使用者Ａの個人興味度閾値「１．０」と使用者Ｂの興味度閾値「０．５」と使用者Ｃの興味度閾値「−０．５」との合計値である。
【０２０８】
図５１と図５７は、コンテンツ種別の蓄積判定手順を示すフローチャートを示す図である。図５１において、判定はあらかじめ決められたタイミングで、あらかじめ決められた基準で判定対象となる使用者を決定して判定を開始する。判定は、判定対象者が全て終了するまで行う。
【０２０９】
ステップＳ７０１では、共通指標による個人興味度閾値データテーブルから、共通指標による個人興味度閾値を算出する。ステップＳ７０２では、グループ興味度閾値データテーブルからグループ興味度閾値を算出する。ステップＳ７００では、蓄積判定を、グループを構成する使用者全員に対して行うまで判定を継続する。ステップＳ７０３では、第３の実施の形態において説明した、図４０の個人固定的興味度データテーブルに登録されているコンテンツの蓄積判定を、すべてのコンテンツに対して行うまで継続する。
【０２１０】
ステップＳ７０４では、第３の実施の形態において説明した、図４０の個人固定的興味度データテーブルに登録されているコンテンツに対する興味度と、図５２に示す共通指標による個人興味度閾値とを比較する。そして、ステップＳ７０４では、コンテンツに対する興味度が個人興味度閾値を上回るかどうかを判定する。上回る場合は、ステップＳ７０６へ処理を移行し、そうでない場合は、ステップＳ７０３へ移行して、登録されている次のコンテンツの判定を行う。ステップＳ７０６では、蓄積すると判定されたコンテンツ種類番号を図５４に示す個人蓄積コンテンツ種類データテーブルに格納する。
【０２１１】
ステップＳ７０５では、第３の実施の形態において説明した、図４４のグループ固定的興味度データテーブルに登録されているコンテンツに対する興味度と、図５３に示すグループ興味度閾値とを比較する。コンテンツに対する興味度がグループ興味度閾値を上回るかどうかを判定する。上回る場合は、ステップＳ７０６へ処理を移行し、そうでない場合は、ステップＳ７０３へ移行して、登録されている次のコンテンツの判定を行う。ステップＳ７０６では、蓄積すると判定されたコンテンツ種類番号を図５５に示すグループ蓄積コンテンツ種類データテーブルに格納する。
【０２１２】
本実施の形態においては、上述のデータ取得規則格納部の一例として、上記個人データ制御部５１３と上記グループデータ制御部５１６により説明をしている。また、前記データ取得規則格納部が保持するデータ取得規則とは、以下に示すｎ個のパラメータによって決定される規則である。
ｙｎは、式ｆ（ｘ１，ｘ２，・・・， ｘｎ）によって決定される規則である。
本実施の形態における、上記関係式の各パラメータと式は以下のとおりである。
個人のコンテンツ種類に対する固定的興味度の判定規則は、以下のとおり。
ｙａｎ  ・・・  使用者Ａの各コンテンツ種類に対する固定的興味度
ｘａ１  ・・・  「忙しい」に対する興味度閾値
ｘａ２  ・・・  「眠い」に対する興味度閾値
ｘａ３  ・・・  「体調が悪い」に対する興味度閾値
ｘａ４  ・・・  「疲れた」に対する興味度閾値
ｘａ５  ・・・  「暇がない」に対する興味度閾値
ｘａ６  ・・・  「お金がない」に対する興味度閾値
ｘａ７  ・・・  「超貧乏」に対する興味度閾値
ｘａ８  ・・・  「休みたい」に対する興味度閾値
ｘａ９  ・・・  「寂しい」に対する興味度閾値
ｎ   ・・・  ９
ｆ（ｘａ１，ｘａ２，・・・， ｘａｎ）＝（ｘａ１＋ ・・・ ＋ｘａｎ）
ｙａｎ＞ｆ（ｘａ１，ｘａ２，・・・， ｘａｎ）  ・・・  （式  ４−１）
使用者Ｂ、使用者Ｃ、使用者Ｙ、使用者Ｚに対応する、ｙｂｎ、ｙｃｎ、ｙｙｎ、ｙｚｎも（式  ４−１）と同様の規則で決定される。
グループのコンテンツ種類に対する固定的興味度の算出規則は、以下のとおり。
ｙgroup００  ・・・  グループのコンテンツ種類番号００に対する固定的興味度
ｘgroup１＝ｙａ００  ・・・  使用者Ａのコンテンツ種類番号００に対する固定的興味度
ｘgroup２＝ｙｂ００  ・・・  使用者Ｂのコンテンツ種類番号００に対する固定的興味度
ｘgroup３＝ｙｃ００  ・・・  使用者Ｃのコンテンツ種類番号００に対する固定的興味度
ｎ＝３
ｆ（ｘgroup１，ｘgroup２，・・・， ｘgroupｎ）＝（ｙａ００＋ｙｂ００＋ｙｃ００）／ｎ
ｙgroup００＝ｆ（ｘgroup１，ｘgroup２，・・・， ｘgroupｎ）  ・・・  （式  ４−２）
コンテンツ種類番号０１、０２、・・・に対応する、ｙgroup０１、ｙgroup０２、・・・も（式  ４−２）と同様の規則で算出される。
グループのコンテンツ種類に対する固定的興味度の判定規則は、以下のとおり。
ｙGｎ＝ｙgroupｎ  ・・・  グループの各コンテンツ種類番号に対する固定的興味度
ｘａ１  ・・・  「忙しい」に対する興味度閾値
ｘａ２  ・・・  「眠い」に対する興味度閾値
ｘａ３  ・・・  「体調が悪い」に対する興味度閾値
ｘａ４  ・・・  「疲れた」に対する興味度閾値
ｘａ５  ・・・  「暇がない」に対する興味度閾値
ｘａ６  ・・・  「お金がない」に対する興味度閾値
ｘａ７  ・・・  「超貧乏」に対する興味度閾値
ｘａ８  ・・・  「休みたい」に対する興味度閾値
ｘａ９  ・・・  「寂しい」に対する興味度閾値
ｘｂ１〜ｘｂ９、及び、ｘｃ１〜ｘｃ９、に関しても、使用者Ａの場合と同様に各人の各共通指標の興味度閾値である。
ｍ   ・・・  ９
ｆ（ｘａ１，・・・， ｘａｍ，ｘｂ１，・・・， ｘｂｍ，ｘｃ１，・・・， ｘｃｍ）
＝（ｘａ１＋・・・＋ｘａｍ＋ｘｂ１＋・・・＋ｘｂｍ＋ｘｃ１＋・・・＋ｘｃｍ）
ｙGｎ＞ｆ（ｘａ１，・・・， ｘａｍ，ｘｂ１，・・・， ｘｂｍ，ｘｃ１，・・・， ｘｃｍ）
・・・  （式  ４−３）
他のグループの場合も（式  ４−３）と同様の規則で決定される。
なお、上記関係式は、規則を示すものであれば、何でもよい。
【０２１３】
以上のように、夫々の使用者の共通指標を用いた日々変化する生活環境に対応した個人興味度閾値と使用者が所属するグループ興味度閾値とを用いて、コンテンツを蓄積媒体に自動蓄積させるべきかどうかを判定する。こうすることにより個人興味度に加え生活環境に合致したコンテンツの蓄積と、複数の使用者によるグループ興味度に合致したコンテンツの蓄積とが可能となる。
【０２１４】
このように、個人データ制御部５１３で構築した個人蓄積コンテンツ種類番号テーブルの情報とグループデータ制御部５１６で構築したグループ蓄積コンテンツ種類番号テーブルの情報と自身が管理する受信装置識別番号テーブルの情報をあわせた制御情報を制御情報送信部５２１に渡し、制御情報送信部５２１が電話回線２０４、インターネット２０１、及び電話回線２０５を介して送信装置１の受信装置制御情報管理部１２に通知する。受信装置制御情報管理部１２は、前述の第１の実施の形態で説明したように、使用者が使用する受信装置に接続されている蓄積媒体に自動蓄積させたいコンテンツを決定し、送信装置１が受信装置制御情報付き放送ストリーム３１を送信する。
【０２１５】
また、第３の実施の形態における図４１の個人固定的興味度データテーブルにおいて使用者が指定する蓄積識別子をも含めた制御情報を制御情報送信部５２１に渡すことで、蓄積媒体を送信側で指定制御可能となる。
【０２１６】
以上により、本発明の第４の実施の形態によれば、蓄積媒体に自動蓄積させるべきコンテンツの選択に際し、コンテンツ種別の選択基準を使用者の日々の生活環境に影響されることにより生じる嗜好性の変化により的確に追従させることが可能となり、変更されない固定的な属性基準（個人固定的興味度データ）に基づいて自動蓄積させるべきコンテンツを判定していた場合に比べ、使用者の現在の興味度、及びコンテンツの要求度合いをより強く反映したコンテンツ判定が可能となる。
【０２１７】
更に蓄積される映像・音声コンテンツ及びそれ以外のデータコンテンツは、個人により利用されることを目的としているとは限らず、複数人で利用したほうが話題性の統一等のコンテンツとしての効果が大きい場合がある。かかる場合を考慮して、一のコンテンツを複数人が効果的に利用できる、という効果がある。
【０２１８】
以上説明したように、本発明の第４の実施の形態によれば、例えば、映画、音楽、ドラマ等のエンターテインメント系のコンテンツを同時に蓄積させることにより、グループ化されている使用者間の話題性を統一することが可能となり、又、オークション、対戦型ゲーム等のコンテンツを同時に蓄積させることにより、コンテンツが本来持つ目的を容易に実現させることができる。更に、商品販売コンテンツの場合、グループ内のある受信装置使用者が蓄積したコンテンツを介して商品を発注し、大きな満足を得たことを別の受信装置使用者に伝える。伝えられた受信装置使用者は、刺激を受けて同様の商品を発注しようとする。このときすでにその受信装置使用者が使用する受信装置に接続されている蓄積媒体には、商品販売コンテンツが蓄積されているので、即時に発注を行える。例えば、グループ旅行の案内広告は、その典型的な事例である。
【０２１９】
尚、本発明の実施の形態では、使用者Ａに蓄積する決定方法について説明をしたが、使用者Ｂ、使用者Ｃ、使用者Ｙ、使用者Ｚも同様に蓄積することが可能である。又、図３５の説明では、使用者Ａ、使用者Ｂ、使用者Ｃ、使用者Ｙ、使用者Ｚの６名の構成で説明をしたが、使用者の数に限らず同等の実施が可能である。
【０２２０】
又、上記で説明した受信装置における蓄積制御を行う動作をコンピュータが読み取り可能なプログラムで実現し、そのプログラムをコンピュータが読み取り可能な記録媒体で流通させても良い。
【０２２１】
本発明の第２、第３、第４の実施の形態における説明では、送信装置１においてコンテンツ（以下データという）を管理しているが、その限りではない。データを管理装置５１（５２、５３）側で管理してもよい。
【０２２２】
その場合の実施例を図５６、図５７、図５８を用いて説明する。
【０２２３】
図５６に示す管理装置５４の属性情報群格納部５４１において、個人の属性情報値として、テストの点数を複数人分格納する。そして、管理装置５４のデータ取得規則格納部５４３にて保持している規則に基づいて、管理装置５４のデータ群格納部５４２にて保持している問題を、管理装置５４のデータ取得部５４０が問題を取得する。このとき、データ取得規則格納部５４３にて保持している規則を１００点満点のテストを１０点刻みで管理する規則とする。また、データ群格納部５４２にて保持している問題として、各教科毎に１０種類用意する。１０種類の問題は、１０点刻みの点数に対応させて管理する。
これにより、個人の属性であるテストの点数に基づいて、問題（データ）を取得することが可能となる。
また、図５６で示す管理装置５４に属性情報値を更新する機能を追加することで、個人の属性情報が変化する場合（何度もテストを実施する場合）に対応できる。
【０２２４】
図５７に示す管理装置５５では、属性情報群格納部５４１にて保持するテストの点数（属性情報値）を更新する属性情報記録部５４４と、新しいテストの点数を受信する属性情報受信部５４５とを、図５６で示す管理装置５４に追加している。これにより、テストを実施するたびに、点数を管理装置５５にて受信することで、その点数に応じた問題をデータ取得部５４０が取得することが可能となる。
【０２２５】
さらに、データ取得部５４０が取得する問題（データ）を管理装置から送信するために、図５８の管理装置５６に示すように、データ送信部５４６を追加する。これにより、テストを実施するたびに、点数に応じた問題を取得して、送信することが可能となる。
【０２２６】
また、個人がテストの点数に応じた問題を受け取るために、個人が使用する端末を識別する端末識別子を前記属性情報受信部５４５で受信する。受信した端末識別子を点数とともに属性情報群格納部５４１にて保持する。データ送信部５４６が問題（データ）を前記端末識別子が示す端末に対して送信する。これにより、テストを実施するたびに、点数に応じた問題を個人が受け取ることが可能となる。
【０２２７】
以上、説明したようにデータを管理装置で管理するとともに、データを送信することも可能である。
【０２２８】
さらに、第３、第４の実施の形態で説明したようにグループを管理して、グループを構成するメンバにもデータを送信することも可能である。
【０２２９】
図６２に示す管理装置５７は、図５６で示す管理装置５４の属性情報群格納部５４１の代わりに、端末属性情報群格納部５７１を具備する。端末属性情報群格納部５７１は、端末をグループとして管理する。また、端末属性情報群格納部５７１は、属性情報と関連付けてグループを管理する。
【０２３０】
図６３に示す管理装置５８は、管理装置５５の属性情報記録部５４４の代わりに、端末属性情報群記録部５７４を具備する。端末属性情報群記録部５７４は、グループとして管理されている属性情報を更新する。
【０２３１】
図６４に示す管理装置５９は管理装置５６の属性情報受信部５４５の代わりに、端末属性情報群受信部５７５を具備する。端末属性情報群受信部５７５は、グループとして管理されている端末から、属性情報を受信する。また、端末属性情報群受信部５７５は、端末を識別する端末識別子をも受信することで、第３、第４の実施の形態で説明したように、グループ内のメンバに自動的にデータを送信することが可能となる。
【０２３２】
このとき、端末識別子は、端末だけでなく端末の使用者を識別してもよいし、端末が設置されている場所を識別してもよい。
【０２３３】
また、端末識別子が示す端末に対してデータを送信するだけでなく、端末識別子をもデータとして送信してもよい。これにより、どの端末が、どのようなデータを受信したかが端末側で認識可能となる。
【０２３４】
図６５に示すデータ送信部５４７は管理装置５９のデータ送信部５４６の変形例である。データ送信部５４７は、管理装置５９のデータ取得部５４０から、データと端末識別子を受信するデータ受信手段５４６１を具備する。データ送信部５４７は、受信したデータと端末識別子とを関連付けて放送するデータ放送部５４６２を具備する。これにより、管理装置を放送装置として機能させることが可能となる。
【０２３５】
図５９に示す放送装置６１は管理装置５６が送信するデータを受信するデータ受信部６１０を具備する。そして、端末を識別する端末識別子を保持する端末識別子格納部６１２と、端末識別子格納部６１２から端末識別子を取得する端末識別子取得部６１３を具備する。これにより、受信したデータと端末識別子とを関連付けて、データ放送部６１１から放送することが可能となる。これは、第１、第２、第３、第４の実施の形態において説明した、管理装置と送信装置が連携して実現していることと同様の機能を実現している。
【０２３６】
また、図５８に示した管理装置５６がデータとともに端末識別子をも送信する場合は、図６０に示す放送装置６２の経路６１４を通じて、端末識別子格納部６１２へ受信した端末識別子を格納する。これにより、管理装置５６にて管理されているグループ構成に基づいて、メンバにデータを放送することが可能となる。これも、第１、第２、第３、第４の実施の形態において説明した、管理装置と送信装置が連携して実現していることと同様の機能を実現している。
【０２３７】
図６１に示す放送装置６３は、グループの管理を管理装置側で行わない場合の構成である。上述したグループの管理を実現する、グループ端末格納部６１６とグループ端末取得部を具備する。
これも、第１、第２、第３、第４の実施の形態において説明した、管理装置と送信装置が連携して実現していることと同様の機能を実現している。
【０２３８】
本実施の形態は、一形態に過ぎず請求項で表している発明を実施する他の対応であっても本願発明に含まれるのは言うまでも無い。
【０２３９】
（第５の実施の形態）
本発明の第５の実施の形態を図６６から図７０を用いて説明する。
【０２４０】
第３、第４の実施形態においては、グループで管理されるメンバや受信装置の属性情報に基づいて、データを自動的に受信し、蓄積するかどうかを判定している。しかし、本発明においては、その限りではない。グループで管理されるメンバが明示的にデータを受信し、蓄積する操作や、明示的に予約する操作に基づいて、他の受信装置（自身あるいは、他のメンバが使用する受信装置）にデータを自動的に受信させて、蓄積かどうかを判定してもよい。
【０２４１】
第１の実施の形態においては、図１で示すように受信装置の使用者が受信し、蓄積したいコンテンツのコンテンツ番号、もしくは、コンテンツ種類番号を既存の通信手段１０１を利用して、送信装置１に対して登録する。また、受信装置を識別する受信装置識別番号を送信装置１に対して登録する。
上記のコンテンツ番号、コンテンツ種類番号は、上述のデータ識別情報の一例である。また、上記の受信装置識別番号は、上述の受信装置識別子の一例である。
【０２４２】
図６６は、受信して、蓄積するコンテンツ（以下、データという）を識別するデータ識別子を送信することが可能な受信装置７１の構成を示すものである。
【０２４３】
受信装置７１は、第１の実施の形態における受信装置２１の受信部２１０と同様の機能を有する受信部７１０を具備する。第１の実施の形態の場合と同様に受信する手段は、有線か無線か、また、放送か通信かを問わない。
【０２４４】
また、受信装置７１は、受信するデータを蓄積媒体に記録する機能を有するデータ蓄積部７１２を具備するが、これは第１の実施の形態における受信装置２１の蓄積制御部２１２が有する機能の一部である。さらに、蓄積対象のデータを識別するデータ識別情報を抽出する機能を有するデータ蓄積制御部７１１を具備する。
【０２４５】
データ蓄積制御部７１１は、第１の実施の形態における受信装置２１の蓄積制御部２１２が有する機能を拡張したものである。拡張した機能は、蓄積対象のデータを識別するデータ識別情報（第１の実施の形態におけるコンテンツ番号）を受信部から受け取るパケットから抽出して、蓄積データ識別情報格納部７１３に格納する機能である。データ識別情報を抽出する手法は、第１の実施の形態の場合と同様である。抽出したデータ識別情報を第１の実施の形態における、識別子格納部２１１に別途テーブルとして格納することも可能である。本実施の形態では、一例として、蓄積データ識別情報格納部７１３を新たに設けている。
【０２４６】
また、この機能拡張により、受信装置の使用者が、明示的にデータの蓄積予約操作を行う場合に、予約対象のデータ識別情報を蓄積データ識別情報格納部７１３に格納することが可能である。
【０２４７】
蓄積データ識別情報格納部７１３に格納したデータ識別情報を、データを管理している装置（例えば、第１の実施の形態においては、送信装置１）に対して通知するために、受信装置７１は、データ識別情報送信部７１４を具備する。
【０２４８】
図６６の受信装置７１では、データ識別情報のみを通知しているが、自身を識別するために、受信装置が保持する受信装置識別子をも通知することを可能にする構成が、図６７に示す受信装置７２である。
【０２４９】
受信装置７２は、自身を識別する受信装置識別子を受信装置識別子７１５に格納している。また、受信装置識別子７１５から受信装置識別子を取得するために受信装置識別子取得部７１６を具備する。
【０２５０】
第１の実施の形態においては、上記受信装置識別子７１５は、受信装置２１の識別子格納部２１１に別途テーブルとして格納することも可能である。また、受信装置識別子の取得は、受信装置２１の蓄積制御部２１２で実現することも可能である。
【０２５１】
データ識別情報と受信装置識別子との通知を受信することにより、データを管理している装置（例えば、第１の実施の形態においては、送信装置１）は、どの受信装置が、どのデータを蓄積する予定があるのかを認識できるようになる。
【０２５２】
また、第３、第４の実施の形態における管理装置５２、５３では、グループ情報を管理している。データ識別情報と受信装置識別子との通知を管理装置５２、５３に通知すれば、管理装置５２、５３はグループを構成するメンバを特定することが可能である。第３、第４の実施の形態において説明したように、管理装置５２、５３は、メンバが使用している受信装置識別子とデータ識別情報（第３、第４の実施の形態においては、コンテンツ番号）とを、データを管理している装置（第３、第４の実施の形態においては、送信装置１）に通知することが可能である。データを管理している装置（第３、第４の実施の形態においては、送信装置１）は、通知される情報に基づいて、指定される受信装置に対して、データの蓄積を制御する情報を送信する。
【０２５３】
これにより、受信装置の使用者が明示的なデータの蓄積操作（例えば、予約操作等）を行うときに、グループのメンバが使用する受信装置に対しても同様の予約操作を自動的に制御できることを実現できる。
【０２５４】
さらに、図６８に示す受信装置７３では、送信先情報格納部７１７と送信先情報取得部７１８をさらに具備する。
【０２５５】
第１の実施の形態においては、上記送信先情報格納部７１７は、受信装置２１の識別子格納部２１１に別途テーブルとして格納することも可能である。また、送信先情報の取得は、受信装置２１の蓄積制御部２１２で実現することも可能である。
【０２５６】
第３、第４の実施の形態においては、管理装置５２、５３でグループを管理している。すなわち、メンバが使用する受信装置を識別する情報も管理している。図６８の受信装置７３の構成は、メンバが使用する受信装置を識別する情報を管理装置ではなく、自身で保持する場合の一例である。
【０２５７】
これにより、図６７の受信装置７２と第３、第４の実施の形態における管理装置５２、５３との構成によって実現できる上記機能を図６８の受信装置７３のみで実現可能となる。
【０２５８】
図６９に示す出力装置は、本実施の形態において説明した受信装置７１、７２から送信されるデータ識別情報、受信装置識別子を受信する出力装置６４の構成を示している。
【０２５９】
出力装置６４は、受信部６４０で受信するデータ識別情報、もしくは、受信装置識別子の少なくともどちらか一方を送出する出力部６４１を具備する。データ識別情報は、データ識別情報格納部６４３に保持する。また、出力装置６４は、グループ受信装置情報格納部６４６を具備している。グループ受信装置情報格納部６４６は、グループとして管理している受信装置識別子テーブルを保持している。出力部６４１は、グループ受信装置識別子取得部６４５を通じて、このテーブルと受信部６４０で受信する受信装置識別子とを比較して、対応するグループを検出する。さらに、検出したグループの他の受信装置識別子を取得する。出力部６４１は、取得した受信装置識別子と受信したデータ識別情報を出力する。この機能は、第３、第４の実施の形態における、送信装置１と管理装置５２、５３の機能を１つの装置（出力装置６４）で実現するものである。
【０２６０】
第３、第４の実施の形態における、管理装置５２、５３が管理しているグループは、コンテンツの嗜好性に基づいたグループ構成を対象としている。しかし、グループ構成を例えば、住宅街や、学区や、テーマパーク等の地域を管理するグループとして、受信装置情報格納部６４６において受信装置識別子テーブルを保持することも可能である。
【０２６１】
これにより、地域内の１つの受信装置でデータの蓄積予約が行われると、受信装置が出力装置に対して、受信装置識別子とデータ識別情報を通知する。出力装置は、該当する地域を検出して、地域に属する受信装置の受信装置識別子とデータ識別情報を送出することが可能となる。地域内において、受信装置が同一データを蓄積することとなり、データの共有が可能となる。
【０２６２】
出力装置６４は、第３、第４の実施の形態における、送信装置１と管理装置５２、５３の機能を１つの装置で実現するものであるが、データの送信機能において、機能を拡張している。
【０２６３】
出力部６４１は、データをデータ格納メモリ６４７から読み出して送出する。データは、データ格納メモリにおいて、データ識別情報と対になるように管理されている。出力装置６４が受信するデータ識別情報と一致するデータを送出するとき、データとともにデータ識別情報をも関連付けて送出する。
【０２６４】
これにより、第１の実施の形態における受信装置２１と違って、ＥＰＧ（電子コンテンツガイド）に依存せずに、蓄積すべきデータ（第１の実施の形態においては、コンテンツ）を判別することが可能となる。
【０２６５】
図７０に送出するデータとデータ識別情報の両方を含むストリームの一例を示す。図７０に示す例では、データ（コンテンツ）の要素であるエレメンタリパケットの先頭にデータ識別情報を含むパケットを配置している。
【０２６６】
受信装置が、データ識別情報を含むパケットを確実に受信できるように、先頭のエレメンタリパケットの前に、複数個のデータ識別情報パケットを配置してもよいし、データのエレメンタリパケットの途中にも配置してもよい。
【０２６７】
図７０は、放送ストリームの一例であり、その詳細を以下に説明する。
【０２６８】
上記のストリーム内には、放送に必要な情報テーブルがパケットとして含まれる。図７０のストリーム８１の例では、３種類の情報テーブルが存在する。
プログラムアソシエーションテーブル（ＰＡＴ）８２は、パケットＩＤとして０を持つ。テーブルの詳細をＰＡＴ９０に示している。ＰＡＴ９０は、プログラム番号と、そのプログラムに必要な情報テーブルであるプログラムマップテーブル（ＰＭＴ）のパケットＩＤを保持するテーブルである。ここで、プログラムとは、図６９の出力装置６３が送出するデータのおおまかな分類である。
【０２６９】
ストリーム８１内のＰＭＴ（Ｘ）８３は、ＰＡＴ８２（９０）で保持されている、プログラムＸのプログラムマップテーブル（ＰＭＴ）のパケットＩＤで識別されるパケットである。ＰＭＴ（Ｘ）８３のテーブルの詳細をＰＭＴ（Ｘ）９１に示す。ＰＭＴ（Ｘ）９１は、データの要素であるエレメンタリパケットのパケットＩＤと、受信側で参照するタイムスタンプパケットのパケットＩＤと、データ識別情報を含むパケットのパケットＩＤを保持するテーブルである。データの先頭であるエレメンタリパケットは、符号８６で示されるパケットである。データ識別情報を含むパケットは、ＤＩＤ８４で示されるパケットであり、ストリーム８１内では、先頭のエレメンタリパケット（符号８６）より前に配置される。
【０２７０】
受信側でＤＩＤを確実に受信することを可能とするために、複数個のＤＩＤ８４をストリーム８１内に配置することも可能である。
【０２７１】
尚、本実施の形態においては、データ識別情報の一例として、第１の実施の形態での説明にもあるコンテンツ番号を挙げているが、その限りではない。データ識別情報として、データが意味を成す地域の地域識別情報を含んでいてもよいし、データが分割されていて、何番目のデータかを示す情報を含んでいてもよい。
【０２７２】
本実施の形態は、一形態に過ぎず請求項で表している発明を実施する他の対応であっても本願発明に含まれるのは言うまでも無い。
【産業上の利用可能性】
【０２７３】
この発明は、送受信システム、送信装置及び受信装置に利用することができる。
【符号の説明】
【０２７４】
１    送信装置
１１  コンテンツ送出部
１２  受信装置制御情報管理部
１３  コンテンツ編成部
１４  編成情報信号
１５  ディスクリプタ信号
２１  受信装置
２２  受信装置
２４  受信装置
２５  受信装置
２６  受信装置
２７  受信装置
３１  受信装置制御情報付き放送ストリーム
４１  ネットワーク端末
４２  ネットワーク端末
４３  ネットワーク端末
４４  ネットワーク端末
４５  ネットワーク端末
５１  管理装置
５２  管理装置
５３  管理装置
５４  管理装置
５５  管理装置
５６  管理装置
５７  管理装置
５８  管理装置
５９  管理装置
６１  放送装置
６２  放送装置
６３  放送装置
６４  出力装置
７１  受信装置
７２  受信装置
７３  受信装置
８１  データ識別情報を含むストリーム
８２  プログラムアソシエーションテーブル（ＰＡＴ）
８３  プログラムＸのプログラムマップテーブル（ＰＭＴ（Ｘ））
８４  データ識別情報を含むパケットのための情報テーブル（ＤＩＤ）
８５  参照用タイムスタンプ（ＰＣＲ）
８６  データの先頭のエレメンタリパケット
８７  データの２番目のエレメンタリパケット
８８  データの３番目のエレメンタリパケット
９０  プログラムアソシエーションテーブル（ＰＡＴ）の詳細
９１  プログラムＸのプログラムマップテーブル（ＰＭＴ（Ｘ））の詳細
１０１  既存の通信手段
１２１  制御情報保持メモリ
１２２  比較器
１２３  ディスクリプタ生成器
１２４  蓄積媒体情報保持メモリ
２０１  インターネット
２０２  電話回線
２０３  電話回線
２０４  電話回線
２０５  電話回線
２０６  電話回線
２０７  電話回線
２０８  電話回線
２１０  受信部
２１１  識別子格納部
２１２  蓄積制御部
２１３  復号部
２１４  出力端子
２１５  経路
２１６  経路
２１７  経路
２１８  経路
２１９  経路
２２０  経路
２２１  経路
２２２  経路
２２３  蓄積媒体α
２２４  蓄積媒体β
２２５  蓄積媒体γ
２７１  判断部
３１０  受信装置制御情報
５１０  送受信制御部
５１１  個人固定的興味度データ保持メモリ
５１２  個人興味度閾値データ保持メモリ
５１３  個人データ制御部
５１６  グループデータ制御部
５１７  グループ固定的興味度データ保持メモリ
５２０  グループ興味度閾値データ保持メモリ
５２１  制御情報送信部
５４０  データ取得部
５４１  属性情報群格納部
５４２  データ群格納部
５４３  データ取得規則格納部
５４４  属性情報記録部
５４５  属性情報受信部
５４６  データ送信部
５４７  データ送信部
５７１  端末属性情報値群格納部
５７４  端末属性情報値群記録部
５７５  端末属性情報値群受信部
６１０  データ受信部
６１１  データ放送部
６１２  端末識別子格納部
６１３  端末識別子取得部
６１４  経路
６１５  グループ端末取得部
６１６  グループ端末格納部
６４０  受信部
６４１  出力部
６４３  データ識別情報格納部
６４５  グループ受信装置識別子取得部
６４６  グループ受信装置情報格納部
６４７  データ格納メモリ
７１０  データ受信部
７１１  データ蓄積制御部
７１２  データ蓄積部
７１３  蓄積データ識別情報格納部
７１４  データ識別情報送信部
７１５  受信装置識別子格納部
７１６  受信装置識別子取得部
７１７  送信先情報格納部
７１８  送信先情報取得部
２１００  チューナー
２１０１  ＭＰＥＧ２トランスポートストリーム復号器
２１０２  パケットフィルタ
２１０３  コンテンツ取得制御情報復号器
２１０４  分配器
２１０５  経路
２１０６  経路
２１２０  パケットフィルタ
２１２１  受信装置制御情報ディスクリプタ復号器
２１２２  比較器
２１２３  比較器
２１２４  蓄積予約情報生成器
２１２５  蓄積予約情報保持メモリ
２１２６  蓄積制御器
２１２７  セクション情報復号器
２１２８  電子コンテンツガイド保持メモリ
２１２９  識別子格納部制御器
５４６１  データ受信手段
５４６２  データ放送手段
【図１】
2011141897.tif 000003
【図２】
2011141897.tif 000004
【図３】
2011141897.tif 000005
【図４】
2011141897.tif 000006
【図５】
2011141897.tif 000007
【図６】
2011141897.tif 000008
【図７】
2011141897.tif 000009
【図８】
2011141897.tif 000010
【図９】
2011141897.tif 000011
【図１０】
2011141897.tif 000012
【図１１】
2011141897.tif 000013
【図１２】
2011141897.tif 000014
【図１３】
2011141897.tif 000015
【図１４】
2011141897.tif 000016
【図１５】
2011141897.tif 000017
【図１６】
2011141897.tif 000018
【図１７】
2011141897.tif 000019
【図１８】
2011141897.tif 000020
【図１９】
2011141897.tif 000021
【図２０】
2011141897.tif 000022
【図２１】
2011141897.tif 000023
【図２２】
2011141897.tif 000024
【図２３】
2011141897.tif 000025
【図２４】
2011141897.tif 000026
【図２５】
2011141897.tif 000027
【図２６】
2011141897.tif 000028
【図２７】
2011141897.tif 000029
【図２８】
2011141897.tif 000030
【図２９】
2011141897.tif 000031
【図３０】
2011141897.tif 000032
【図３１】
2011141897.tif 000033
【図３２】
2011141897.tif 000034
【図３３】
2011141897.tif 000035
【図３４】
2011141897.tif 000036
【図３５】
2011141897.tif 000037
【図３６】
2011141897.tif 000038
【図３７】
2011141897.tif 000039
【図３８】
2011141897.tif 000040
【図３９】
2011141897.tif 000041
【図４０】
2011141897.tif 000042
【図４１】
2011141897.tif 000043
【図４２】
2011141897.tif 000044
【図４３】
2011141897.tif 000045
【図４４】
2011141897.tif 000046
【図４５】
2011141897.tif 000047
【図４６】
2011141897.tif 000048
【図４７】
2011141897.tif 000049
【図４８】
2011141897.tif 000050
【図４９】
2011141897.tif 000051
【図５０】
2011141897.tif 000052
【図５１】
2011141897.tif 000053
【図５２】
2011141897.tif 000054
【図５３】
2011141897.tif 000055
【図５４】
2011141897.tif 000056
【図５５】
2011141897.tif 000057
【図５６】
2011141897.tif 000058
【図５７】
2011141897.tif 000059
【図５８】
2011141897.tif 000060
【図５９】
2011141897.tif 000061
【図６０】
2011141897.tif 000062
【図６１】
2011141897.tif 000063
【図６２】
2011141897.tif 000064
【図６３】
2011141897.tif 000065
【図６４】
2011141897.tif 000066
【図６５】
2011141897.tif 000067
【図６６】
2011141897.tif 000068
【図６７】
2011141897.tif 000069
【図６８】
2011141897.tif 000070
【図６９】
2011141897.tif 000071
【図７０】
2011141897.tif 000072